(57)【特許請求の範囲】
【請求項１】
仕掛けを投げ竿で投入した道糸に取り付ける枝ハリスであり、前記枝ハリスは、枝ハリス着脱自在具の道糸への着脱自在部と着脱自在部内に道糸通糸部を設けており、上記枝ハリスを海上層部から海中層部間を遊動自在に道糸に係止させる手段を設けており、上記道糸通糸部から道糸が抜け出ても枝ハリス着脱自在具が道糸に係止する構造にしており、上記枝ハリス着脱自在具は、合成樹脂を主材とした事を特徴とする、枝ハリスと枝ハリスの着脱自在具。
【請求項２】
仕掛けを投げ竿で投入した道糸に取り付ける枝ハリスであり、前記枝ハリスは、枝ハリス着脱自在具の道糸への着脱自在部と着脱自在部内に道糸通糸部を設けており、
上記枝ハリスを海上層部から海中層部間を遊動自在に道糸に係止させる手段を設けており、
上記枝ハリス着脱自在具に道糸挿入口をロックするロック構造を設け、道糸への枝ハリス着脱をロックするロック構造を設けており、
上記枝ハリス着脱自在具は、合成樹脂を主材とした事を特徴とする、枝ハリスと枝ハリスの着脱自在具。
【請求項３】
仕掛けを投げ竿で投入した道糸に取り付ける枝ハリスであり、前記枝ハリスは、枝ハリス着脱自在具の道糸への着脱自在部と着脱自在部内に道糸通糸部を設けており、
上記枝ハリスを海上層部から海中層部間を遊動自在に道糸に係止させる手段を設けており、球体外面から、道糸通糸穴側方に向かって、道糸案内部と案内部奥に間隙を設けて、上記糸通糸穴に接続しており、
上記道糸通糸穴と道糸通糸穴直近の間隙との間に生成された舌片部を設けており、
上記舌片部を、道糸が押し広げ易くして道糸を挿入させ、かつ、抜き方向には抜け難くしておる構造であり
上記枝ハリス着脱自在具は、合成樹脂を主材とした事を特徴とする、枝ハリスと枝ハリスの着脱自在具。
【請求項４】
仕掛けを投げ竿で投入した道糸に取り付ける枝ハリスであり、上記枝ハリスは、枝ハリス着脱自在具の道糸への着脱自在部と着脱自在部内に道糸通糸部を設けており、
上記枝ハリスを海上層部から海中層部間を遊動自在に道糸に係止させる手段を設けており、
上記道糸通糸穴と道糸通糸穴直近の間隙に、凸部を有する略Ｕ字形の嵌入片体を上記間隙部の道糸の挿入方向に直交させて設けており、
かつ、上記凸部の一方を上記間隙部の道糸の挿入路を塞ぐ方向に設け、上記略Ｕ字形の嵌入片体に相対する嵌入穴を設けて本体に嵌入して、上記嵌入片体の保持部として設けており、
上記嵌入片体を道糸が押し広げなければ通過出来ない構造であり、
上記枝ハリス着脱自在具は、合成樹脂を主材とした事を特徴とする、枝ハリスと枝ハリスの着脱自在具。
【請求項５】
仕掛けを投げ竿で投入した道糸に取り付ける枝ハリスであり、前記枝ハリスは、枝ハリス着脱自在具の道糸への着脱自在部と着脱自在部内に道糸通糸部を設けており、
上記枝ハリスを海上層部から海中層部間を遊動自在に道糸に係止させる手段を設けており、
上記枝ハリス着脱自在具の上記道糸通糸部直近の間隙は、道糸の直径に適合した間隙を有しており、
上記直径に適合した間隙は、道糸直径の数％（すなわち、多くて９．９％）狭くして設けた間隙である。
上記枝ハリス着脱自在具は、合成樹脂を主材とした事を特徴とする、枝ハリスと枝ハリスの着脱自在具。
【請求項６】
仕掛けを投げ竿で投入した道糸に取り付ける枝ハリスであり、前記枝ハリスは、枝ハリス着脱自在具の道糸への着脱自在部と着脱自在部内に道糸通糸部を設けており、
上記枝ハリスを海上層部から海中層部間を遊動自在に道糸に係止させる手段を設けており、
上記枝ハリス着脱自在具の上記道糸挿入口を開閉する、道糸着脱口開閉片と、道糸着脱口開閉片の閉止状態を保持する閉止状態保持片とを設けており、
上記枝ハリス着脱自在具は、合成樹脂を主材とした事を特徴とする、枝ハリスと枝ハリスの着脱自在具。
【請求項７】
上記請求項１から請求項６の何れかに記載の枝ハリスと枝ハリスの着脱自在具に水の抵抗体を連結して、枝ハリス仕掛けとした、枝ハリスと枝ハリスの着脱自在具。
【請求項８】
上記請求項１から請求項７の何れかに記載の枝ハリスと枝ハリスの着脱自在具のハリス部の係止具の連結形体であって、少なくとも１個の遊動自在に係止した遊動針を設け、遊動針の遊動範囲の両端にストッパーを設け、かつ、遊動範囲の上端ストッパーからハリス部先端の係止具間のハリス直径を上記ハリス部の直径の少なくとも１．３倍にして設けた、枝ハリスと枝ハリスの着脱自在具。
【請求項９】
上記請求項１から請求項７の何れかに記載の枝ハリスと枝ハリスの着脱自在具であって、ハリス部の先端の係止具に、餌となる魚の腹鰭部を係止する係止部を設けた形状の係止具を有する、枝ハリスと枝ハリスの着脱自在具。
【発明の詳細な説明】
【技術分野】
【０００１】
すずき（はね）ぶり（はまち、）さわら、かんぱち，ひらめ、しまあじ、等の沿岸回遊大型中型魚の、釣り具に、関する技術である。
【背景技術】
【０００２】
針に餌となる小魚（いわし・さば・あじ・このしろ等々）を鼻掛け・背掛けで付けて、２〜7ｍ上に浮きを付け海中に投入し、後は魚が勝手に動く、釣り人は他人の仕掛けともつれるのを監視すると言う釣り方が一般的なものである。
【先行技術文献】
【特許文献】
【０００３】
【特許文献１】特開２０００−１５７１２４
【特許文献２】特願２０１２−０９０８０６
【特許文献３】特願２０１２−２５７６６５
【特許文献４】特願２０１２−２５５２８０
【特許文献５】実開平３−２７９７２
【特許文献６】特願２０１２−２７１５０１
【０００４】
すずき（はね）ぶり（はまち、）さわら、かんぱち，ひらめ、しまあじ、等の、沿岸回遊大型魚の、泳がせ釣法に、関する先行技術文献は見つける事は出来なかったが、道糸に、着脱自在に出来る糸用係着部の構造に関する技術（例えば特許文献１）がある。
先端に錘をつけ投げ竿で投入し、後付けで枝ハリスを取り付けて釣る、泳がせ釣法に関する技術（例えば特許文献２）がある。
前記特許文献２の分割出願で泳がせ釣法で使用する、枝ハリスと枝ハリスの着脱自在具に関する物（例えば特許文献３）がある。
先端に底物釣り仕掛けをつけ投げ竿で投入し、後付けで上物釣り仕掛け具を付けて釣る、底物釣りと上物釣りを1本の投げ竿で狙える釣法とその釣り具に関する物（例えば特許文献４）がある
浮子本体に糸部の太さより大きい挿通穴を有する係止部を形成し、糸部への着脱を自在にした技術（例えば特許文献５）がある
浮子本体に外郭体を設け魚が掛かると前記外郭体が開き魚を早く弱らせる抵抗体を設けた物（例えば特許文献６）がある
【発明の概要】
【発明が解決しようとする課題】
【０００５】
鼻掛け・背掛けした餌を付けて、２〜７ｍ上に浮きを付け海中に投入し、後は魚が勝手に動くので、釣り人は他人の仕掛けと自分の１〜３本投入している、仕掛けどうしがもつれるのを監視すると言う釣り方が一般的なものであるが、海面には殆どの場合潮流・風等がありこれらを受けて餌の小魚は広範囲に動き回るので、釣り人一人が、１本の仕掛けを使用した場合、占有する釣り場所は、岸壁の長さで竿１本に付き少なくとも１０ｍは必要となる。
この泳がせ釣りで、例えば３００ｍある岸壁で、釣り人一人が、２本の竿を使用した場合、最大で１５人しか釣ることが出来ず、釣るためには場所の確保が一番で、場所取りのため、日の出より１〜２時間早く行かなければならない、これを釣り人一人が、１本の竿を使用した場合、占有する釣り場所は最少で１本に付き６ｍ程度にすることが出来れば、同じ場所で釣りを楽しめる人数は最大で２５人となる、この釣法を可能にした、仕掛け及び用具を構成する部品で、枝ハリスと枝ハリスの着脱自在具を、特許文献２の特願２０１２−０９０８０６及び、特許文献３の特願２０１２−２５７６６５及び、特許文献４の特願２０１２−２５５２８０で提供しましたが、更に針掛かりして、強烈な引き込みがあり、数分で糸キレと成る事が数％起きている、此のことも含め、別の角度から見た枝ハリスの着脱自在具を提供する事が課題である。
【課題を解決するための手段】
【０００６】第一の発明は、仕掛けを投げ竿（１１）で投入した道糸（１０）に取り付ける枝ハリス（８）であり、前記枝ハリスは、枝ハリス着脱自在具（８ａ）の道糸への着脱自在部と着脱自在部内に道糸通糸部（穴・Ｈ）を設けており、上記枝ハリス（８）を海上層部から海中層部間を遊動自在に道糸（１０）に係止させる手段を設けており、上記道糸通糸部（Ｈ）から道糸が抜け出ても枝ハリス着脱自在具が道糸に係止する構造にしており、上記枝ハリス着脱自在具は、合成樹脂を主材とした事を特徴とする、枝ハリスと枝ハリスの着脱自在具を提供する。（実施例の８ａ−１４、８ａ−２１）本願発明の枝ハリス（８）は投げ竿を用いた投げ釣りで、投げ竿（１１）で投入した道糸（１０）に海上層から海中層間を遊動自在に係止出来る枝ハリス（８）の係止手段を設けた事が、現時点の技術常識には無い手段であり、海上層部から海中層部間を遊動自在に係止出来る枝ハリス（８）の係止手段Ａは、枝ハリス止め体（７）を道糸軸線方向に海上層部から海中層部に調節可能に固定されておる道糸に、係止する上記枝ハリスの枝ハリス着脱自在具（８ａ）内に道糸通糸部（Ｈ）を設けており、前記道糸通糸部（Ｈ）を前記枝ハリス止め体（７）で止め得る穴にして設けた事である。上記道糸通糸穴（Ｈ）の大きさは道糸直径の１．５倍から５倍で好ましくは道糸直径の２〜３倍が良い（この道糸通糸穴（Ｈ）の大きさは本願全部の枝ハリス着脱自在具に適用する）。具体的には、浮き止め（６）の上部（投げ竿方向）に枝ハリス止め体（７）を海の中層部より上層部に設けておる道糸に、係止する上記枝ハリスと枝ハリス着脱自在具（８ａ）であり、従来の釣法では浮き止め（６）の上部（投げ竿方向）に枝ハリス（８）を付けて投げ竿で投げる事は困難であったのを、仕掛けを投げ竿（１１）で投入した道糸（１０）に取り付ける枝ハリス（８）とした事であり、前記枝ハリスは、枝ハリス着脱自在具（８ａ）の道糸への着脱自在部と着脱自在部内に道糸通糸部（穴・Ｈ）を設けておる事である。前記海上層部から枝ハリス止め体（７）間（魚が泳ぐ棚）を遊動自在に係止出来る枝ハリス（８）の係止手段とした事で、例えば「泳がせ釣り」の生き餌は海上層から枝ハリス止め体（７）間を深さ方向遊動自在に移動出来る係止手段であるので、深さ方向の餌の遊動範囲を広く設定出来る。図２５，図２７に記載している、浮き（４）しもり（５）浮き止め（６）の上に枝ハリス止め体（７）を設けて枝ハリス（８）、（又は枝ハリス仕掛け、８Ｗ）を海上層部から海中層部間を遊動自在に係止している、更に枝ハリス（８）の係止手段Ｂは、枝ハリス部の枝ハリス着脱具に接続する略楕円形の錘(８ｅ・１〜５号）を設けている事で（５図参照）、仕掛けを投げ竿（１１）で投入した道糸（１０）に、生き餌を取り付けた枝ハリス（８）を取り付け海中に降ろし、投げ竿を立てスピニングリールを巻き、糸ふけを取りながら前記枝ハリス止め体（７）方向に生き餌を誘導するのであるが、海中に降ろした餌の魚が岸側（竿の先端ガイド９方向）に来るときは、水面付近で道糸を中心として抵抗力の掛かる方向へキラキラと魚体をキラメカシながら泳ぐ（この場合魚は竿先方向即ち浅くなる方向に泳ぐ）、又沖側に（錘１の方��）に出るときは、枝ハリス止め体（７）までの間でいきよいが良い時は、道糸を中心として抵抗力の掛かる方向(主に左右及び深い方向に道糸を「くの字」に曲げキラキラと魚体をキラメカシながら泳ぐ  生き餌を付け海中に投入した時、餌の魚によっては真っ直ぐに深い方向に潜ってくれる者もおるが、大半は図６に記載の様に生餌（８ｄ）は、生きの良い時は道糸を「くの字」に曲げながら抵抗のある方向（岸方向あるいは左右方向に）に泳いで海面で、もがいている、この状態のままにしておくと、魚は弱るし、鳥とかに食べられてしまう、しかし道糸を「くの字」に曲げながら抵抗のある方向に力強く泳ぐ時間は数分間隔で泳ぎ疲れ少し力が弱った時、前記「くの字」に曲げた、曲りの角度が小さく直線に近く成り、その時この錘を付けていると枝ハリス（８）の着脱自在具部（８ａ）が深い方向に少しずつスライドしこの錘に接続している絡み止め（８ｆ）が見えなくなり、その後は海中で深い方向に少しずつスライドして、海面より棚に近い深さに餌を導きいれる手段である。第二の発明は、仕掛けを投げ竿（１１）で投入した道糸（１０）に取り付ける枝ハリス（８）であり、前記枝ハリスは、枝ハリス着脱自在具（８ａ）の道糸への着脱自在部と着脱自在部内に道糸通糸部（穴・Ｈ）を設けており、上記枝ハリス（８）を海上層部から海中層部間を遊動自在に道糸に係止させる手段を設けており、上記枝ハリス着脱自在具に道糸挿入口をロックするロック構造を設け、道糸への枝ハリス着脱をロックするロック構造を設けた、上記枝ハリス着脱自在具は、合成樹脂を主材とした事を特徴とする、枝ハリスと枝ハリスの着脱自在具を提供する。（実施例の８ａ−３、８ａ−３Ａ、８ａ−１５、８ａ−２０、）第三の発明は、仕掛けを投げ竿（１１）で投入した道糸（１０）に取り付ける枝ハリス（８）であり、上記枝ハリスは、枝ハリス着脱自在具（８ａ）の道糸への着脱自在部と着脱自在部内に道糸通糸部（穴・Ｈ）を設けており、上記枝ハリス（８）を海上層部から海中層部間を遊動自在に道糸に係止させる手段を設けており、球体外面から、道糸通糸穴側方に向かって、道糸案内部（Ｗ）と案内部奥に間隙（Ｓ）を設けて、上記道糸通糸穴に接続しており、上記道糸通糸穴（Ｈ）と道糸通糸穴直近の間隙（Ｓ）との間に生成された舌片部（２Ｄ）を設けており、上記舌片部を、道糸（１０）が押し広げ易くして道糸を挿入させ、かつ、抜き方向には抜け難くしておる構造であり上記枝ハリス着脱自在具は、合成樹脂を主材とした事を特徴とする、枝ハリスと枝ハリスの着脱自在具を提供する。（実施例の８ａ−２）第四の発明は仕掛けを投げ竿（１１）で投入した道糸（１０）に取り付ける枝ハリス（８）であり、上記枝ハリスは、枝ハリス着脱自在具（８ａ）の道糸への着脱自在部と着脱自在部内に道糸通糸部（Ｈ）を設けており、上記枝ハリスを海上層部から海中層部間を遊動自在に道糸に係止させる手段を設けており、上記道糸通糸穴（Ｈ）と道糸通糸穴直近の間隙（Ｓ）に、凸部を有する略Ｕ字形の嵌入片体（Ｒ）を、上記間隙部（Ｓ）の道糸の挿入方向に直交させて設けており、かつ、上記凸部の一方（Ｄｔ）を上記間隙部（Ｓ）の道糸の挿入路を塞ぐ方向に設け、上記略Ｕ字形の嵌入片体に相対する��入穴（Ｄｕ）を設けて本体に嵌入して、上記嵌入片体（Ｒ）の保持部として設けており、上記嵌入片体（Ｒ）を道糸が押し広げなければ通過出来ない構造であり、上記枝ハリス着脱自在具は、合成樹脂を主材とした事を特徴とする、枝ハリスと枝ハリスの着脱自在具を提供する。（実施例の８ａ−１Ａ）第五の発明は仕掛けを投げ竿で投入した道糸に取り付ける枝ハリスであり、上記枝ハリスは、枝ハリス着脱自在具の道糸への着脱自在部と着脱自在部内に道糸通糸部を設けており、上記枝ハリスを海上層部から海中層部間を遊動自在に道糸に係止させる手段を設けており、上記枝ハリス着脱自在具の上記道糸通糸部直近の間隙（Ｓ）は、道糸の直径に適合した間隙（Ｓ）を有しており、上記直径に適合した間隙（Ｓ）は、道糸直径の数％（すなわち、多くて９．９％）狭くして設けた間隙（Ｓ）であり、上記枝ハリス着脱自在具は、合成樹脂を主材とした事を特徴とする、枝ハリスと枝ハリスの着脱自在具を提供する。（実施例の８ａ−１、８ａ−１８）第六の発明は仕掛けを投げ竿で投入した道糸に取り付ける枝ハリスであり、前記枝ハリスは、枝ハリス着脱自在具の道糸への着脱自在部と着脱自在部内に道糸通糸部を設けており、上記枝ハリスを海上層部から海中層部間を遊動自在に道糸に係止させる手段を設けており、上記枝ハリス着脱自在具の上記道糸挿入口を開閉する、道糸着脱口開閉片（１９ｐ，１９ｐｃ）を設けており、更に道糸着脱口開閉片の閉止状態を保持する、閉止状態保持片（１９Ｄｂ，１９Ｄｂｂ）を設けており、上記枝ハリス着脱自在具は、合成樹脂を主材とした事を特徴とする、枝ハリスと枝ハリスの着脱自在具を提供する。（実施例の８ａ−１９Ｂ、８ａ−１９Ｃ、）第七の発明は上記第一の発明から第六の発明の何れかに記載の枝ハリスと枝ハリスの着脱自在具に水の抵抗体を連結して、枝ハリス仕掛け（Ｗ）とした、枝ハリスと枝ハリスの着脱自在具を提供する。（実施例の８Ｗ−１，８Ｗ−１Ａ，８Ｗ−２，８Ｗ−３，８Ｗ−３Ａ，８Ｗ−１５，８Ｗ−１８，８Ｗ−１９Ａ，８Ｗ−１９Ｂ，８Ｗ−２０，８Ｗ−２１，８Ｗ−２２）第八の発明は上記第一の発明から第七の発明の何れかに記載の枝ハリスと枝ハリスの着脱自在具のハリス部の係止具の連結形体であって、少なくとも１個の遊動自在に係止した遊動針（８Ｃ−２ａ）を設け、遊動針の遊動範囲の両端にストッパー（２ｒ．２ｐ）を設け、かつ、遊動範囲の上端ストッパー（２ｒ）からハリス部先端の係止具（２ｐ）間のハリス直径を上記ハリス部の直径の少なくとも１．３倍にして設けた、枝ハリスと枝ハリスの着脱自在具を提供する。第九の発明は上記第一の発明から第七の発明の何れかに記載の枝ハリスと枝ハリスの着脱自在具であって、ハリス部の先端の係止具（８Ｃ）に、餌となる魚の腹鰭部を係止する係止部（８Ｃ−Ｍ）を設けた形状の係止具を有する、枝ハリスと枝ハリスの着脱自在具を提供する。上記発明は出願時の技術常識から［特許文献２］特願２０１２−０９０８０６の「先端に錘をつけ投げ竿で投入し、後付けで枝ハリスを取り付けて釣る、泳がせ釣法に関する技術」、あるいは[特許文献４]特願２０１２−２５５２８０の「先端に底物釣り仕掛けをつけ投げ竿で投入し、後付けで上物釣り仕掛け具を付けて釣る、底物釣りと上物釣りを1本の投げ竿で狙える釣法とその釣り具に関する技術」、の枝ハリスと枝ハリスの着脱自在具としてのみもっぱら使用されるものである。
【発明の効果】
【０００７】
本願発明の枝ハリス（８）は今までの釣り方法では不可能であった、投げ竿を用いた投げ釣りで、海上層から海中層間を遊動自在に係止出来る枝ハリス（８）の係止手段を設けた事で、今迄の技術常識での、海上層部から海中層部間を遊動自在に係止出来る枝ハリス（８）の係止手段は、浮き釣りで狙う海層部（棚）に浮き止め（６）を道糸に移動固定する方法と、浮きを全遊動にして，投入した仕掛けが仕掛けに設けた重さにより、海上層部から海下層部まで下降する動きの過程で、前記海上層部から海中層部間を通過するタイミングで釣る方法しか無く、前者の場合は浮き止め（６）を移動固定する作業を繰り返し釣果が有った棚で浮き止め（６）を固定していた、後者の場合は海上部層から海中層部間を通過するタイミングで釣る方法しか無く、上物魚の棚で釣り餌を保持させる事が困難であった。
本願発明の海上層部から海中層部間を遊動自在に係止出来る枝ハリス（８）の係止手段は、前記浮き止め（６）の上部（投げ竿方向）に枝ハリス止め体（７）を海の中層部より上層部方向に設け、海上層から枝ハリス止め体（７）間を遊動自在に係止出来る枝ハリス（８）の係止手段とした事で、｛上記道糸には枝ハリス止め体（７）を道糸軸線方向に調節可能に固定されておる｝
例えば「泳がせ釣り」の生き餌は海上層部から枝ハリス止め体（７）間を深さ方向に遊動自在に移動出来る係止手段である。
上記記載の海上層部から海中層部間を遊動自在に係止出来る枝ハリス（８）の係止手段
を設けた事により、例えば海水と川の真水がまじわる水域に於いては前日以前の雨の降水量や、上流に放水路、取水路、の水門等がある場合の水門からの当該釣り場への真水の放水量が違う時には、魚種により真水が苦手な魚は真水か海下層部を流れる時は海上層部から海中層部を泳ぎ、逆に海上層部から海中層部に真水か流れる時は、海下層部から海中層部を泳ぐ従って餌を求めて泳ぐ大型・中型魚は上述状況に左右される。（前夜の冷え込み具合によっても同様の海上層部、海中層部の関係が発生する。）
従って本願発明の海上層部から海中層部間を遊動自在に係止出来る枝ハリス（８）の係止手段は、生き餌が苦手な海層部から生き餌が好む海層部にシフトするので、本願発明での大きな効果をもたらすポイントの１つである。
【０００８】
本願発明の元となっている「泳がせ釣り用具、及びその方法、特許文献２の特願２０１２−０９０８０６、特許第５１６６６２３号」の試釣以降、広島市の草津港の岸壁には休日（ブリ釣りシーズンの１０月から１２月）ともなると６ｍ間隔で投げ竿が立つ「フィーバー」ぶりで、一文字の防波堤で、発明者とサポートしてくれる人が試釣しているのを３０〜８０ｍ離れた位置から見て、見まねで作った仕掛けを使っての釣法であるので、釣果に大きな差が有るものの今迄（Ｈ２３年以前は）草津港全体で１シーズンに「ブリ」が１０匹前後釣れれば大漁であつたものが、昨年（Ｈ２４．１０〜１２月）は草津港全体で２〜３百匹釣れ、１昨年、昨年と近隣の釣り具店に「ブリ釣り道具をくれ｝と言ってくるお客も多くなり、今迄は１０キロ前後の魚が釣れることがあまりなかったので、大物用釣り具が売り切れに成る事もあり、大物用釣り具商品の品ぞろえも多くなっている。
此のことは本願発明がこの釣りの重要構成部品であり、商業に大きく寄与する発明であることの証しであり、かつ、大きな発明の効果である。
【０００９】
上記枝ハリスと枝ハリスの着脱自在具は特許文献２の特願２０１２−０９０８０６及び、特許文献４の特願２０１２−２５５２８０の枝ハリスと枝ハリスの着脱自在具としてもっぱら使用する。
【００１０】
上記枝ハリス仕掛け（Ｗ）は、枝ハリスの着脱自在具と水の抵抗体を組み合わせた事で、魚の取り込みの時間を早く出来、更に道糸の直径を１０〜３０％細い(参考  釣糸１０号は  直径  ０，５２ｍｍ,１２号は直径０，５６ｍｍ)  物で対応出来る様になった。
【図面の簡単な説明】
【００１１】
【図１】（ａ）合成樹脂を主材とした、枝ハリス着脱自在具（８ａ−１４）で略球状玉体の上部及び左右の概略1／３の両側を欠切し、残りの1／３の両側に２本の凸片を設け、一方には穴を他方にはハリス巻き締め部を設けてハリスを固定し着脱自在部とするタイプの枝ハリスの着脱自在具に道糸をセットし、1回目のハリスの巻き締め要領図。              １４ａの穴部は断面図。              （ａ）図の略球状玉体の下方に記載している８ｂ−１Ｇは枝ハリスの連結具を連結した１例図を記載している。        （ｂ）（ａ）の状態から更に２回目のハリスを巻き締める要領図、（ｂ）図上に記載しているのは巻き付け方を簡単に記載した物。        （ｃ）（ｂ）図での巻き付け完了状態図。（ｄ）枝ハリス装着前の枝ハリス着脱自在具（８ａ−１４）の全体概略斜視図で有って、図面符号が他の図に入り過ぎると図面が判り難く成るのを避けた図面。
【図２】（ａ）図１の枝ハリス着脱自在具（８ａ−１４）がハリス巻き締め部を設けてハリスを固定するタイプであるのに対して、穴の中央を大径として両端部を小径となるテーパーして設け穴の形状に相対する弾性体の嵌入具部（８ｂ−１ｍ、８ｂ−１ｎ）を嵌入しハリスを固定し着脱自在部とするタイプの着脱自在具図である。        （ｂ）図２（ａ）のＭ−Ｍ断面図。        （ｃ）枝ハリス（８ｂ−１ｈ）装着完了図。
【図３】（ａ）上下方向の断面が長方形の本体（１５ａ）と本体の外郭筒（長四角筒）で構成した枝ハリス着脱自在具の斜視図。        （ｂ）図３（ａ）のＮ−Ｎ断面図で前記本体の外郭筒（長四角筒）（１５ｂ）部と本体（１５ａ）との嵌合状態を表す図。        （ｃ）道糸（１０）を通糸穴（Ｈ）に嵌入し開閉アーム（１５ｃ）の凸部が嵌入する嵌入口（１５ｂ１）に、弾性復帰力で開閉アーム（１５ｃ）の凸部を嵌入させた斜視図、部分断面図。（ｄ）図３（ｃ）のＮ−Ｎ断面図で前記本体の外郭筒（長四角筒）（１５ｂ）部と本体（１５ａ）との嵌合状態を表す図。        （ｅ）図３（ａ）の本体（１５ａ）の成形概略図。        （ｆ）本体（１５ａ）の外郭筒（長四角筒）（１５ｂ）部のＮ−Ｎ断面図。
【図４】枝ハリス着脱自在具（８ａ−１４）に着脱自在具以降の部材をハリスで繋ぎあわせた枝ハリス図。
【図５】（Ａ）枝ハリス着脱自在具（８ａ−３）に枝ハリス着脱自在具以降の部材をハリスで繋ぎあわせた枝ハリスの概略全体図。枝ハリス（８）の係止手段Ｂの、枝ハリス部の枝ハリス着脱自在具に接続する軸線方向断面が略楕円形の錘(８ｅ・１〜５号）を設けており、遊動針８ｃ−２ａの上部遊動端ストッパー２ｒから先端の針８ｃ間のハリスを太くした図（Ｂ）枝ハリス部の先端の針に左右の腹鰭間に掛ける孫針の形状と、装着した図。
【図６】生き餌を枝ハリスの係止具に付け海中に降ろし抵抗のある方向に引っ張り、道糸が「くの字」状になっている図。
【図７】枝ハリス着脱自在具（８ａ−１５）にＴ３の水の抵抗体構造部を組み合わせた枝ハリス仕掛け８Ｗ−１５の全体概略図（水の抵抗体部が開いている）。
【図８】枝ハリス仕掛け８Ｗの水の抵抗体構造部Ｔ２の中心を、線体で中通しにした枝ハリス着脱自在具（８ａ−１８）。（Ａ）８ａ−１８の枝ハリス仕掛け８Ｗ−１８の全体概略図（水の抵抗体部が閉じている）。        （Ｂ）（Ａ）の水の抵抗体構造部の中心を中通しにした線体の枝ハリス着脱自在具部の組み付け状態図、１部分断面図。        （Ｃ）（Ａ）の水の抵抗体構造部が開いた図。        （Ｄ）（Ａ）のＨ−Ｈ部分断面図（水の抵抗体部がとじた図）。        （Ｅ）（Ａ）のＨ−Ｈ部分断面図（水の抵抗体部が開いた図）。        （Ｆ）線体又は棒体の枝ハリス着脱自在具８ａ−１８の下側のより戻し及び接続具等の例図。        （Ｇ）線体又は棒体の枝ハリス着脱自在具８ａ−１８の上側の道糸への着脱自在部の例図。        （Ｈ）（Ａ）のＧ−Ｇ部分断面図（水の抵抗体部がとじた図）。
【図９】（Ａ）水の抵抗体構造部に枝ハリス着脱自在具８ａ−１９Ｃを組み合わせた、水の抵抗体部Ｔ３を有する枝ハリス着脱自在具の全体概略図（水の抵抗体構造部が閉じている）８Ｗ−１９Ａ（枝ハリス部を記載していないもの）。          （Ｂ）（Ａ）図の９０度反転した側面図で水の抵抗体構造部が開いている枝ハリス仕掛け（８Ｗ−１９Ａ）全体概略図。          （Ｃ）（Ａ）図のＢ−Ｂ部分断面図。          （Ｄ）（Ａ）図のＡ−Ａ部分断面図。
【図１０】図１０の水の抵抗体部Ｔ３の支柱下部に枝ハリス着脱自在部を設けた、水の抵抗体部Ｔ３を有する枝ハリス着脱自在具８ａ−１９Ｂ。枝ハリス仕掛け８Ｗ−１９Ｂ        （Ａ）枝ハリス着脱自在具８ａ−１９Ｂの全体斜視図（枝ハリス部を記載していないもの）。        （Ｂ）（Ａ）図の水の抵抗体部Ｔ３が開いている枝ハリス仕掛け（８Ｗ−１９Ｂ）全体概略図。        （Ｃ）（Ａ）図のＢ−Ｂ部分断面図。        （Ｄ）（Ａ）図のＡ−Ａ部分断面図。
【図１１】図１０（Ａ）図の枝ハリス着脱自在具８ａ−１９Ｂの枝ハリス着脱構造部１９Ｂｚ部の詳細図。        （Ａ）１９Ｂｚ部の正面図。        （Ｂ）（Ａ）図の側面図、（部分断面図、着脱口、閉止状態図）。        （Ｃ）（Ａ）図の側面図、（部分断面図、着脱口、開口状態図）。        （Ｄ）（Ｃ）図の操作側部品（１９Ｋｐ）の斜視図。        （Ｅ）（Ｃ）図の（Ｄ）の組み込み側、（１９ｃｂ図、部分断面図、）。        （Ｆ）（Ａ）図のＥ−Ｅ部分断面図（組み付け前）。        （Ｇ）（Ａ）図のＥ−Ｅ部分断面図。
【図１２】（Ａ）枝ハリス着脱自在具８ａ−１９Ｃの正面から見た斜視図。          （Ｂ）（Ａ）図の側面図、（部分断面図、着脱口、閉止状態図）。          （Ｃ）（Ａ）図の側面図、（部分断面図、着脱口、開口状態図）。          （Ｄ）（Ｃ）図の、着脱口閉止方向の閉止状態保持片組み付け前図、１部分断面図。          （Ｅ）着脱口閉止方向の閉止状態保持片斜視図。
【図１３】（Ａ）枝ハリス着脱自在具８ａ−２０正面から見た斜視図。          （Ｂ）道糸着脱口開閉片を開口状態にした図。（８Ｗ１９Ａ）          （Ｃ）道糸着脱口開閉片を（Ａ）図の様に、外郭筒（長四角筒）を上側にスライドさせて、ロック状態にした図。          （Ｄ）（Ｃ）図に水の抵抗体構造部の中心を中通しにした水の抵抗体部Ｔ４を接続した図（８Ｗ−２０）。          （Ｅ）（Ｄ）図に魚が掛かり水の抵抗体部Ｔ４が上方向に押し潰された図。
【図１４】水の抵抗体部Ｔ４の詳細図          （Ａ）水の抵抗体部が水中に浮かんでいる図。          （Ｂ）魚が掛かり水の抵抗体部Ｔ４が上方向に押し潰された図。          （Ｃ）（Ａ）のＪ−Ｊ断面図。          （Ｄ）（Ｂ）のＫ−Ｋ断面図。
【図１５】（Ａ）枝ハリス着脱自在具８ａ−２１の側面図。          （Ｂ）（Ａ）図の正面図。          （Ｃ）（Ａ）図の道糸着脱口開閉構造部の１部分断面図。          （Ｄ）（Ａ）図の道糸着脱口、開口状態の側面図。          （Ｅ）（Ａ）図のＰ−Ｐ断面図。          （Ｆ）（Ａ）図の道糸着脱口開閉構造部の弾性片（ＳＥ）斜視図。
【図１６】枝ハリス着脱自在具８ａ−２１に水の抵抗体部Ｔ３を組み付けた枝ハリス仕掛け（８Ｗ−２１）全体概略図。
【図１７】（Ａ）枝ハリス着脱自在具８ａ−１９Ｃに水の抵抗体部Ｔ２を組み付けた枝ハリス仕掛け全体概略図（閉じている）。          （Ｂ）枝ハリス着脱自在具８ａ−１９Ｃに水の抵抗体部Ｔ３を組み付けた枝ハリス仕掛け全体概略図（開いている）８Ｗ−１９Ａ。          （Ｃ）枝ハリス着脱自在具８ａ−１９Ｃに水の抵抗体部Ｔ４を組み付けた枝ハリス仕掛け全体概略図。
【図１８】（Ａ）８Ｗ−２２の枝ハリス着脱自在具８ａ−１９Ｃに水の抵抗体部Ｔ６を組み付けた枝ハリス仕掛け全体概略図（閉じている）。          （Ｂ）８Ｗ−２２の枝ハリス着脱自在具８ａ−１９Ｃに水の抵抗体部Ｔ６を組み付けた枝ハリス仕掛け全体概略図（開いている）。
【図１９】（Ａ）枝ハリス着脱自在具８ａ−２で玉体の道糸通糸穴の側方にスリットを設け、前記穴の直近に舌片部（２Ｄ）を形成した図。          （Ｂ）（Ａ）の側面図。          （Ｃ）（Ａ）のＮ−Ｎ断面図。（Ｄ）枝ハリス着脱自在具８ａ−２と水の抵抗体部Ｔ６を組み付けた枝ハリス仕掛け全体概略図（開いている）８Ｗ−２。
【図２０】（Ａ）円柱体に道糸通糸穴を上部に設け、下部に枝ハリス着脱自在具以降の係止具までの接続穴を設けた枝ハリス着脱自在具８ａ−１の側面図。          （Ｂ）（Ａ）の正面図。          （Ｃ）（Ｅ）に水の抵抗体部Ｔ２を組み付けた枝ハリス仕掛け８Ｗ−１Ａの全体概略図（閉じている）。          （Ｄ）（Ａ）に水の抵抗体部Ｔ３を組み付けた枝ハリス仕掛け８Ｗ−１の全体概略図（開いてている）。          （Ｅ）円柱体に道糸通糸穴を上部に、下部に枝ハリス着脱自在具以降の係止具までの接続穴と道糸通糸穴直近の間隙（Ｓ）に弾性体の凸部を設けた枝ハリス着脱自在具８ａ−１Ａの側面図。          （Ｆ）（Ｅ）の正面図。          （Ｇ）（Ｅ）のＰ−Ｐ断面図。          （Ｈ）（Ｇ）のＤ−Ｄ断面図。
【図２１】（Ａ）円柱体の中折りタイプの枝ハリス着脱自在具８ａ−３の側面図（部分断面図）。          （Ｂ）（Ａ）の正面図。        （Ｃ）円柱体の中折りした側面図（部分断面図）。        （Ｄ）道糸を挿入しロック直前図。        （Ｅ）（Ａ）のＴ−Ｔ断面図。        （Ｆ）（Ｅ）に水の抵抗体部Ｔ２を組み付けた枝ハリス仕掛け８Ｗ−３の全体概略図（閉じている）。
【図２２】（Ａ）はラグビーボール型の枝ハリス着脱自在具の樹脂成型時の形状側面図。        （Ｂ）ラグビーボール型の枝ハリス着脱自在具８ａ−３Ａの正面図。        （Ｃ）枝ハリス着脱片、開口図。        （Ｄ）（Ｂ）のＳ−Ｓ断面図。        （Ｅ）（Ｂ）に水の抵抗体部Ｔ２を組み付けた枝ハリス仕掛け８Ｗ−３Ａの全体概略図（枝ハリス着脱自在具が閉じている）。
【図２３】枝ハリス仕掛け（８Ｗ−１〜８Ｗ２２）の水の抵抗体と枝ハリス着脱自在具と枝ハリス着脱自在具から係止具の連結形態（ハリス８ｂ−１との結束要領）図。
【図２４】枝ハリス止め体（浮き止め）の道糸への装着例図
【図２５】特許文献２の特願２０１２−０９０８０６「泳がせ釣り釣法」で仕掛けを投入してアタリを待つ置き竿状態概略図。
【図２６】特許文献４の特願２０１２−２５５２８０  「1本の竿で上物魚と底物魚が同時に狙える釣法」で仕掛けを投入してアタリを待つ置き竿状態概略図。
【図２７】本願の水の抵抗体と枝ハリス着脱具と枝ハリス着脱具から針までの枝ハリ          ス仕掛けを、投入してアタリを待つ置き竿状態概略図。
【発明を実施するための形態】
【００１２】
枝ハリス着脱自在具（８ａ）と着脱自在具から係止具に至る部分の発明を主とし、更に付帯発明を積み重ねたことで、海底の障害物（磯の海底の岩、岩に付着している貝類及び海藻、捨てられ海底に落ちている大型ごみ及び枝付流木が沈殿し海底に半分埋まった物等）に枝ハリス（８）を絡まらなくした事、水深方向の生餌魚の移動可能範囲を広くし得た事（釣り人は一般的に棚を広げたと言う）、魚が掛かり取り込むまでには、数回〜弐十数回の魚の強烈な引き込みが有るが、その強烈な引き込みに耐えられる仕掛けにした事、更に魚は掛かるが取り込む過程で切られる回数を非常に少なくした数点の発明等々で、初心者でも陸部（船）から大型魚か釣れる、泳がせ釣り仕掛け、及びその仕掛けを使った釣り方が発明出来るに至り、本願発明では上記枝ハリス着脱自在具（８ａ）の別角度から見た枝ハリスの着脱自在具を追加することが出来、更に「枝ハリス着脱自在具を有する枝ハリス」に水の抵抗体部（Ｔ２,Ｔ３,Ｔ４Ｔ６）を組み合わせた枝ハリス仕掛け（８Ｗ）を取り付け、魚の取り込みをし易くし、魚の引き込み力を前記水の抵抗体部で分散出来るので、この枝ハリス仕掛け（８Ｗ）を取り付ける道糸を１０％〜３０％細くした釣り具にする事が出来る。
【００１３】
本願発明の枝ハリス着脱具（８ａ）のみを製品とするか、前記「枝ハリス着脱自在具を有する枝ハリス」に水の抵抗体部（Ｔ２,Ｔ３,Ｔ４Ｔ６）を組み合わせた枝ハリス仕掛け（８Ｗ）を製品とするのも良いし、大型魚であるのでベテランの人以外を対象とした枝ハリス仕掛けとしてのＡｓｓｙ仕掛け｛枝ハリス着脱具（８ａ）と、より戻し（Ｙ）と、ハリス（８ｂ−１、又は８ｂ−１と８ｂ−１Ｇ、８ｂ−１Ｈのいずれか）と、上記枝ハリスの先端部に取り付けた係止具（８ｃ）をもつて、主構成とした物｝、として製品化するのが枝ハリスの各構成部品の選択間違いし、ハリスを含む部品を思考錯誤しながらの選択で、仕掛けを切られ魚に逃げられる事も、また無駄な投資をすることも少なく出来るので好ましくは枝ハリス８（又は８Ｗ）を１体としたＡｓｓｙ仕掛けでの製品化を推奨する。（大型魚釣りのハリス切れ部位の７０％近くはハリスの結束部であり、好ましくは上記結束部に可塑性樹脂コーティングをするか、先端部近くのハリス直径を少なくとも１．３倍にするのがよい。）
【実施例】
【００１４】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある、例えば断面図の断面以外の奥に見える線等。
【００１５】
第一の発明は、仕掛けを投げ竿（１１）で投入した道糸（１０）に取り付ける枝ハリス（８）あり、前記枝ハリスは、枝ハリス着脱自在具（８ａ）の道糸への着脱自在部と着脱自在部内に道糸通糸部（穴・Ｈ）を設けており、
上記枝ハリス（８）を海上層部から海中層部間を遊動自在に道糸（１０）に係止させる手段を設けており、
上記道糸通糸部（Ｈ）から道糸が抜け出ても道糸に係止出来る構造にしており、
上記枝ハリス着脱自在具は、合成樹脂を主材とした事を特徴とする、枝ハリスと枝ハリスの着脱自在具を提供する。（実施例の８ａ−１４、８ａ−２１）
本願発明の枝ハリス（８）は投げ竿を用いた投げ釣りで、投げ竿（１１）で投入した道糸（１０）に海上層から海中層間を遊動自在に係止出来る枝ハリス（８）の係止手段を設けた事が、現時点の技術常識には無い手段であり、海上層部から海中層部間を遊動自在に係止出来る枝ハリス（８）の係止手段Ａは、
枝ハリス止め体（７）を道糸軸線方向に海上層部から海中層部に調節可能に固定されておる道糸に、係止する上記枝ハリスの枝ハリス着脱自在具（８ａ）内に道糸通糸部（Ｈ）を設けており、前記道糸通糸部（Ｈ）を前記枝ハリス止め体（７）で止め得る穴にして設けておる。
上記道糸通糸穴（Ｈ）の大きさは道糸直径の１．５倍から５倍で好ましくは道糸直径の２〜３倍が良い（この道糸通糸穴（Ｈ）の大きさは本願全部の枝ハリス着脱自在具に適用する）。
更に枝ハリス（８）の係止手段Ｂは、
枝ハリス部の枝ハリス着脱具に接続する略楕円形の錘(８ｅ・１〜５号）を設けている事であり（６図参照）、
以下詳細説明は段落ＮＯ．０００６に記載しているので省略する。
【００１６】
枝ハリスの枝ハリス着脱自在具（８ａ−１４）は略球状玉体の上部及び左右の概略1／３の両側を欠切し、残りの1／３の中央部の左右に平行な２本の凸片（１４ａ、１４ｂ）と、凸片間に略Ｖ字状のスリット（Ｗ）を設け，上記スリット奥に道糸通糸穴（Ｈ）を設け、前記スリット奥の道糸通糸穴（Ｈ）直近に道糸が貫通可能な間隙（Ｓ）を形成しており、
上記平行して左右に設けた両方の凸片の略中央に、穴（１４ｃ、１４ｅ）を凸部の直角方向（凸部横断方向）に設け、
上記設けた穴の１方の凸部のハリス穴（１４ｃ）には、１方のハリス端部に抜け止め（８ｂ−１ｄ）を設けたハリスの、他方のハリス端部を外から内方向に挿入し、抜け止めが上記１方の凸部（１４ａ）のハリス穴に当たるまで他方のハリスを引出しておき、
上記他方の凸部のハリス穴の上の凸部上面に凹面部を設け、
上記他方の凸部の玉体側面部より上記他方の凸部（１４ｂ）のハリス穴（１４ｅ）に向かって上記切除した平面部に倣う様に切割部を他方の凸部のハリス穴の下近く迄設けハリス穴（１４ｅ）に接続させ、ハリス導入部として設けており、(玉体側面部の切割は玉体側面部側の１部分を広くしたハリス導入口としている)
上記他方の凸部のハリス導入部として設けた凸部上面を、玉体側面方向が低くなる斜面としたものである。
上記枝ハリスの枝ハリス着脱自在具（８ａ−１４）は道糸通糸穴（Ｈ）から道糸が貫通可能な間隙（Ｓ）を通って道糸が抜け出ても２本の凸片の穴を（１４ｃ，１４ｅ）連結しているハリス（８ｂ−１Ｇ）で道糸は係止されており、掛った魚は逃がさない構造に成っている。
【００１７】
枝ハリス着脱自在具の使用要領は、
上記他方のハリスを引出しておいた枝ハリス着脱自在具の、前記略Ｖ字の道糸案内部を通り案内部奥の間隙（Ｓ）に道糸に傷を付けない範囲で道糸を弾性変形させて、間隙（Ｓ）に押し込み貫通穴（Ｈ）に貫通させる、（従って案内部奥の間隙（Ｓ）は道糸の直径に適合した間隙（Ｓ）であり、道糸の直径に適合した間隙（Ｓ）を有する枝ハリス着脱自在具を使用する必要がある）
次に上記引出しておいたハリスを上記他方の凸部の切割部を通したハリスの輪をハリスの輪の抜け部が奥に成るようにして(1図ａ参照)穴（１４ｅ）で巻き締め、この巻き締めは少なくとも２回は行う事で(1図（ｂ）、（ｃ）、参照)着脱自在具の着脱自在部のハリス装着をしたことに成る、
上記ハリス（８ｂ−１Ｇ）を１方の凸部のハリス穴（１４ｃ）から他方の凸部（１４ｂ）のハリス穴（１４ｅ）に結束（取り付け）する事で、上記道糸貫通穴（Ｈ）から道糸が抜け出ても道糸に係止出来る構造にしておる。（掛った魚は逃がさない構造）
次に巻き締めが済んだ他方のハリス端部に接続具（８１）を接続して、接続具（８１）に枝ハリス着脱自在具以降から係止具に至る枝ハリス部を接続し、係止具（８ｃ）に餌（８ｄ）を取り付け道糸に係止し水中に降ろす。
【００１８】
図１の説明をすると合成樹脂を主材とした、枝ハリス着脱自在具（８ａ−１４）で、
図１（ａ）は、
略球状玉体の上部及び左右の概略1／３の両側を欠切し、残りの1／３の中央部に略Ｖ字状のスリット（Ｗ）を設け，上記スリット奥に道糸貫通穴（Ｈ）を道糸通糸部として設け、
前記スリット奥の道糸貫通穴（Ｈ）直近に道糸が貫通可能な間隙（Ｓ）を形成した形状を
しており、前記欠切した残りの1／３の中央部にスリットに平行して左右に２本の凸片を設け、凸片の一方（１４ａ）に枝ハリスの挿入穴（１４ｃ）を設け、上記枝ハリスの挿入穴（１４ｃ）に枝ハリスの一方の端部を略球状玉体の中心側から外側に向けて挿入し、上記一方の枝ハリス端部を抜きだして、抜け止め機能を持たせるか｛例えば上記枝ハリスの一方の端部を結んで２〜３重のコブを作り接着材で固着とか、金属の短管をカシメル等（８ｂ−１ｄ）｝又は事前に前記抜け止め機能の処置をした枝ハリスの他方の端部を玉体の外側から中心側方向に挿入し、上記枝ハリスの挿入穴に挿入しておいた枝ハリスを引っ張り、上記枝ハリスの挿入穴（１４ｃ）に前記抜け止め部を密着させる、            
次に前記略球状玉体の他方の凸片（１４ｂ）に枝ハリスの挿入穴（１４ｅ）と挿入穴上面にハリスを巻き付ける凹面を設け、更に前記挿入穴（１４ｅ）にハリスを導入する切割溝を前記略球状玉体の凸片の他方（１４ｂ）の凸片下部手前側から前記挿入穴（１４ｅ）に接続させて設け、ハリスを導入する切割溝を設けた事で形成された切割片にハリスの輪を作りハリス抜け側が奥に成る様にして、前記設けた枝ハリスの挿入穴（１４ｅ）と挿入穴上部にハリスを巻き付ける凹面部に引き入れて、１重巻きに巻き付けた枝ハリスの装着要領図である。
【００１９】
図１（ｂ）は前記略球状玉体の凸片の他方（１４ｂ）の切割片に１重巻きに巻き付けた動作を繰り返して２重巻きにする枝ハリスの装着要領図であり（ｂ）図上に記載しているのは巻き付け方を簡単に記載した物である。
【００２０】
図１（ｃ）は（ｂ）図での巻き付け完了状態図で（ａ）図の略球状玉体の下方に記載の枝ハリスの連結具を連結した１例図を記載しているが、事前に一方（１４ａ）の枝ハリスの挿入穴（１４ｃ）に抜け止めを設けているハリスを挿入して抜け止めを設け固着したハリスの他方の端部に、前記連結具を連結した物にしておけば、道糸（１０）をセットした後は切割片にハリスの輪を巻き付けるだけで良く、
この巻き付け方法は船の係船鋲にロープを巻き付け係船する巻き付け方法であり、仮に道糸の通糸穴（Ｈ）より道糸が抜け出てもこの枝ハリス着脱自在具は道糸に係止されており枝ハリスは道糸から外れないと言う特徴がある。
【００２１】
図１（ｄ）は枝ハリス装着前の枝ハリス着脱自在具（８ａ−１４）の全体概略斜視図で有って、図面符号が他の図に入り過ぎると図面が判り難く成るのを避けた図面。
【００２２】
上記枝ハリス着脱自在具（８ａ−１４）の取り外しは、巻き付けた部分をほどいて作り直す方法であるが、５〜１０ｋｇもある魚を釣り上げた場合は、目視で判り難い場所に傷がついている場合が多々あるので、ハリスを切って捨て予備にハリス（８ｂ−１Ｇの抜け止め８ｂ−１ｄの無い物）を作っておきセットし直す事を推奨する。
【００２３】
枝ハリス着脱自在具８ａ−１４の別タイプの物で、合成樹脂を主材とした、枝ハリス着脱自在具（８ａ−１４−１）で略球状玉体の上部及び左右の概略1／３の両側を欠切し、残りの1／３の中央部の左右に平行な２本の凸片（１４ａ、１４ｂ）と、凸片間に略Ｖ字状のスリット（Ｗ）を設け，上記スリット奥に道糸通糸穴（Ｈ）を設け、前記スリット奥の道糸通糸穴（Ｈ）直近に道糸が貫通可能な間隙（Ｓ）を形成しており、
上記平行して左右に設けた両方の凸片の略中央に、中部を大径とし両端部を小径となるテーパーにした穴（１４ｃｍ、１４ｅｎ）を凸部の直角方向（凸部横断方向）に設け、前記挿入穴（１４ｃｍ、１４ｅｎ）にハリスを導入する切割溝を前記略球状玉体の両方の凸片（１４ａ、１４ｂ）下部の手前側から前記挿入穴（１４ｃｍ、１４ｅｎ）に向かって上記欠切した平面部に倣う様に切割部を両方の凸部のハリス穴の下近く迄設けハリス穴（１４ｃｍ、１４ｅｎ）に接続させハリス導入部として設けており、(切割部は玉体側面入り口を広くしたハリス導入口としている)（図２ａ参照）
上記ハリス穴（１４ｃｍ、１４ｅｎ）の形状に相対する形状の弾性体の嵌入具（８ｂ−１ｍ、８ｂ−１ｎ）と、ハリス（８ｂ−１Ｈ）が道糸の通る穴（Ｈ）から抜けた時枝ハリスを道糸に係止する為の抜け止め（８ｂ−１ｎａ）とを、上記嵌入具部より接続具（８１）側のハリスに固着して設け、上記左側の弾性体の嵌入具（８ｂ−１ｍ）には枝ハリスの係止具（８ｃ・図４参照）方向に抜けない抜け止めを設けておる。
更に上記ハリス（８ｂ−１Ｈ）を左側に（図面で見て）抜く為の引き具（８ｂ−１ｍａ）を設けておる（図２ｂの断面図下部に記載の８ｂ−１Ｈ参照）。
上記枝ハリスの枝ハリス着脱自在具（８ａ−１４−１）は道糸通糸穴（Ｈ）から道糸が貫通可能な間隙（Ｓ）を通って道糸が抜け出ても２本の凸片の穴（１４ｃｍ，１４ｅｎ）を連結しているハリス（８ｂ−１Ｈ）で道糸は係止されており、掛った魚は逃がさない構造に成っている
【００２４】
枝ハリス着脱自在具（８ａ−１４−１）の使用要領は、
上記枝ハリス着脱自在具の、前記略Ｖ字の道糸案内部を通り案内部奥の間隙（Ｓ）に道糸に傷を付けない範囲で道糸を弾性変形させて、間隙（Ｓ）に押し込み道糸通糸穴（Ｈ）に貫通させる、（従って案内部奥の間隙（Ｓ）は道糸の直径に適合した間隙（Ｓ）であり、道糸の直径に適合した間隙（Ｓ）を有する枝ハリス着脱自在具を使用する必要がある）
次に上記ハリス（８ｂ−１Ｈ）に弾性体の嵌入具（８ｂ−１ｍ、８ｂ−１ｎ）を固着して設けたハリスを、上記ハリス導入部を通過させてハリス穴（１４ｃｍ、１４ｅｎ）に嵌入出来る位置に導入し、上記ハリス（８ｂ−１Ｈ）を接続具（８１・図４参照）側に引いて、上記弾性体の嵌入具（８ｂ−１ｍ、８ｂ−１ｎ）を上記穴の中央を大径として両端部を小径となるテーパーにして設けた穴に嵌入する（図２ｂ、図２ｃ参照）
次にハリス端部に事前に接続しておいた接続具（８１・図４参照）で枝ハリス着脱自在具以降の係止具に至る枝ハリス部を接続し、係止具（８ｃ）に上物魚用の餌（８ｄ）を取り付け道糸に係止し水中に降ろす。
【００２５】
図２（ａ）は合成樹脂を主材とした、枝ハリス着脱自在具（８ａ−１４−１）で略球状玉体の上部及び左右の概略1／３の両側を欠切し、残りの1／３の中央部に略Ｖ字状のスリット（Ｗ）を設け，上記スリット奥に道糸貫通穴（Ｈ）を通糸部として設け、前記スリット奥の道糸貫通穴（Ｈ）直近に道糸が貫通可能な間隙（Ｓ）を形成した形状をしており、前記欠切した残の1／３の中央部に切り欠き溝と略Ｖ字状のスリットを設け、スリットに平行にして左右に残した図１（ａ）の枝ハリス着脱自在具（８ａ−１４）の枝ハリスの着脱自在部を嵌め込み式に変えた物で、
前記略球状玉体の凸片の両方（１４ａ、１４ｂ、）の穴の形状を、穴の中央を大径として両端部を
小径となるテーパーして設け、前記略球状玉体の凸片の両方（１４ａ、１４ｂ）に枝ハリスの挿入穴
（１４ｃｍ、１４ｅｎ）の、前記挿入穴（１４ｃｍ、１４ｅｎ）にハリスを導入する切割溝を前記略
球状玉体の凸片の両方（１４ａ、１４ｂ）の手前側から前記挿入穴（１４ｃ、１４ｅ）に接続させて
設けた斜視図である。
図２（ｂ）は図２（ａ）のＭ−Ｍ断面図で前記略球状玉体の凸片の両方（１４ａ、１４ｂ）の手前側から前記挿入穴（１４ｃｍ、１４ｅｎ）に接続させて、
ハリスを導入する切割溝を設けて、前記設けた略球状玉体の凸片の両方（１４ａ、１４ｂ、）の穴の形状に相対する嵌入具部（８ｂ−１ｍ、８ｂ−１ｎ）を枝ハリス（８ｂ−１Ｈ）に固着し、更に抜出し用に引き部（８ｂ−１ｍａ）を設けた枝ハリス（８ｂ−１Ｈ）のハリス部を矢印方向に前記ハリスを導入する切割溝から前記挿入穴に引き入れる構造にしたもので、前記枝ハリスの挿入穴（１４ｃｍ、１４ｅｎ）及び前記穴の形状に相対する嵌入具部（８ｂ−１ｍ、８ｂ−１ｎ）には嵌入し易くする面取り部（４５°から３０°の面とり）は図示していないが面取り部は付けている、又嵌入具部（８ｂ−１ｍ）が抜けない様に８ｂ−１ｍａ側に抜け止めフランジを設けている。
図２（ｃ）は枝ハリス（８ｂ−１ｈ）装着完了図であり、合成樹脂を主材とした、枝ハリス着脱自在具（８ａ−１４、８ａ−１４−１）は、
一例として玉で記載しているが形状には拘らなく、円盤体・四角・八角等の多角形の立方体や断面形状が略楕円形の物を含む丸みを持つ形状の物でも、枝ハリス止め体（７、道糸直径の２〜３倍が好ましい）で、枝ハリス着脱自在具（８ａ）を有する枝ハリス（８）が、止まり、かつ、上記枝ハリス止め体（７）から海表面間（投げ竿方向）を遊動自在に道糸に係止する機能を有する物なら、すべて本願発明に含む。
【００２６】
枝ハリス着脱自在具（８ａ−１５）は合成樹脂を主材とした、上下方向の断面が長方形の本体（１５ａ）と本体の外郭筒（長四角筒）（１５ｂ）で構成した物で、前記本体（１５ａ）には道糸（１０）の挿入口（Ｗ）を開閉する弾性性状を有する開閉アーム（１５ｃ）を設け、前記挿入口（Ｗ）から奥に道糸の案内部と、道糸に係止する通糸穴（Ｈ）を手前側から裏側（図面で見て）に貫通させて設け、｛上記道糸の通糸穴（Ｈ）は枝ハリス止め体（７）で止まり、かつ、枝ハリス止め体（７）から海表面間を遊動自在に係止出来る穴である｝前記道糸の案内部と道糸通糸穴（Ｈ）を繋ぐ間隙（Ｓ）を前記案内部奥の道糸の通糸穴直近に設け、本体後部には前進端，後退端ストッパーとなる切割片（１５ａ−１）と、枝ハリスの着脱自在具以降より係止具（８ｃ）に至るハリスを接続する、接続部（１５ｆ）が設けられており、
前記本体の外郭筒（長四角筒）（１５ｂ）は略本体右半分全週を覆う形に組み付けられており、（図３ａ参照）
前記本体の外郭筒（以降スライダーと記載）（１５ｂ）の下面には、前記スライダー（１５ｂ）の前進端，後退端ストッパーとなる本体切割片の凸部がスライドするストッパー前進端後退端スライド口（１５ｂ２）と前記スライダー（１５ｂ）の上面に開閉アーム（１５ｃ）の凸部が嵌入する嵌入口（１５ｂ１）が設けられており、
本体（１５ａ）の成形体と、前記本体のスライダー（１５ｂ）の組み付けは、本体（１５ａ）の道糸通糸穴（Ｈ）側から接続部（１５ｆ）方向に外郭筒（１５ｂ）を挿入し、開閉アーム（１５ｃ）を下方に押え、前記開閉アーム（１５ｃ）をスライダー（１５ｂ）内に入れ、更に接続部（１５ｆ）方向に押入れ、前進後退端ストッパーの凸部を有する切割片（１５ａ１）とストッパーの凸部を押し上げスライダー（１５ｂ）内に入れ、更に接続部（１５ｆ）方向に押入れると、開閉アーム（１５ｃ）の凸部が弾性復帰力により嵌入口（１５ｂ１）に嵌入される、
｛図３（ｆ）参照｝スライダー（１５ｂ）の下面に設けているストッパー前進後退端スライド口（１５ｂ２）のスライダー（１５ｂ）の前進端に、切割片（１５ａ１）の凸部が弾性復帰力により嵌入される。｛図３（ｃ）、図３（ｄ）の状態になる、｝
更に開閉アーム（１５ｃ）を下方に押し前記スライダー（１５ｂ）を本体（１５ａ）の接続部（１５ｆ）方向に押すことで、組み付けは完了する。｛図３（ａ）、図３（ｂ）の状態になる｝
この場合前進端，後退端ストッパーとなる切割片の前記スライダー（１５ｂ）への組み付けは１度すれば良い。
【００２７】
枝ハリス着脱自在具（８ａ−１５）の使用要領は、
上記開閉アーム（１５ｃ）が開いた状態｛図３（ａ）｝で、道糸（１０）を道糸の挿入口（Ｗ）から奥の道糸の案内部に沿って、案内部と通糸穴（Ｈ）を繋ぐ間隙（Ｓ）から道糸の通糸穴（Ｈ）に挿入し、上記開閉アーム（１５ｃ）を下方に押し下げ、上記スライダー（１５ｂ）を左側に前進端ストッパーが当たる迄押し、下方に押し下げていた上記開閉アーム（１５ｃ）を離すと、上記開閉アーム（１５ｃ）の凸部がスライダー上面に設けている嵌入口（１５ｂ１）に弾性復帰力で嵌入し、上記開閉アーム（１５ｃ）の開閉がロックされる。｛図３（ｃ）、図３（ｄ）の状態になる、｝
取り外す時は上記の逆手順で行えば、道糸（１０）から枝ハリス着脱自在具（８ａ−１５）を取り外せる。｛図３（ａ）、（ｂ）の状態に戻る、｝
【００２８】
図３（ａ）は上下方向の断面が長方形の本体（１５ａ）と本体の外郭筒（長四角筒）で構成した枝ハリス着脱自在具（８ａ−１５）で、前記本体（１５ａ）には道糸（１０）の挿入口（Ｗ）を開閉する弾性性状を有する開閉アーム（１５ｃ）を設け、前記挿入口（Ｗ）から奥に道糸の案内部と、道糸に係止する通糸穴を手前側から裏側（図面で見て）に貫通させて設け、前記道糸の案内部と通糸穴（Ｈ）を繋ぐ間隙（Ｓ）を前記道糸の案内部奥の通糸穴直近に設け、本体後部には前進端，後退端ストッパーとなる切割片と枝ハリスの着脱自在具以降のハリスを接続する、接続部が設けられており、
前記本体の外郭筒（長四角筒）（１５ｂ）は略本体右半分全週を覆う形に組み付けられており、
本図は（図３ａ）前記本体がストッパーに当たり、開閉アーム（１５ｃ）が開口している状態図である。
図３（ｂ）は図３（ａ）のＮ−Ｎ断面図で前記本体の外郭筒（長四角筒）（１５ｂ）部嵌合状態を表す図であり、開閉アーム（１５ｃ）が開口している状態で、前記本体の外郭筒（長四角筒）（１５ｂ）の下面に設けているストッパー前進後退端スライド口（１５ｂ２）のストッパーに切割片（１５ａ１）の凸部が当たっていて、外郭筒が本体の最後退端部に位置していることを表す図であり、
前記本体の外郭筒（長四角筒）（１５ｂ）の上面に設けている、開閉アーム（１５ｃ）の凸部が嵌入する嵌入口（１５ｂ１）には、開閉アームの凸部は嵌入してない。
図３（ｃ）は図３（ａ）の状態から開閉アーム（１５ｃ）の開口部（Ｗ）から道糸（１０）を道糸通糸穴（Ｈ）に嵌入し、開閉アーム（１５ｃ）を下方向に押え、切割片（１５ａ１）の凸部がストッパーに当たる迄、前記本体の外郭筒（長四角筒）（１５ｂ）を左方向にスライドさせて、開閉アーム（１５ｃ）の凸部が嵌入する嵌入口（１５ｂ１）に、弾性復帰力で開閉アーム（１５ｃ）の凸部を嵌入させた図で、この状態は枝ハリス着脱自在具（８ａ−１５）を道糸（１０）に係止させ、更に開閉アーム（１５ｃ）の開閉をロックした図である。
図３（ｄ）は図３（ｃ）のＮ−Ｎ断面図で前記本体の外郭筒（長四角筒）（１５ｂ）部嵌合状態を表す図であり、前記本体の外郭筒（１５ｂ）の下面に設けているストッパー前進後退端スライド口（１５ｂ２）の外郭筒（１５ｂ）の前進端に切割片（１５ａ１）の凸部が当たっていて、外郭筒が本体の最前進端部に位置していることを表す図であり、
前記本体の外郭筒（１５ｂ）の上面に設けている、開閉アーム（１５ｃ）の凸部を嵌入する嵌入口（１５ｂ１）に、嵌入させている。
図３（ｅ）は図３（ａ）の本体（１５ａ）の成形概略図であり、
道糸（１０）の挿入口（Ｗ）を開閉する開閉アーム（１５ｃ）と、前記挿入口（Ｗ）から奥に道糸の案内部と、道糸に係止する通糸穴（Ｈ）を手前側から裏側（図面で見て）に貫通させて設け、前記道糸の案内部と通糸穴（Ｈ）を繋ぐ間隙（Ｓ）を前記道糸の案内部奥の通糸穴直近に設け、本体後部には前進端，後退端ストッパーとなる切割片と、枝ハリスの着脱自在具以降のハリスを接続する、接続部（１５ｆ）が設けられており、
前記本体（１５ａ）の成形体と前記本体の外郭筒（１５ｂ）の組み付けは、本体（１５ａ）の通糸穴（Ｈ）側から接続部（１５ｆ）方向に外郭筒（１５ｂ）を挿入し、開閉アーム（１５ｃ）を下方に押え、前記開閉アーム（１５ｃ）を外郭筒（１５ｂ）内に入れ、更に接続部（１５ｆ）方向に押入れ、前進後退端ストッパーの凸部を有する切割片（１５ａ１）とストッパーの凸部を押し上げ外郭筒（１５ｂ）内に入れ、更に接続部（１５ｆ）方向に押入れると、開閉アーム（１５ｃ）の凸部が嵌入する嵌入口（１５ｂ１）に、
図３（ｆ）の外郭筒（１５ｂ）の下面に設けているストッパー前進後退端スライド口（１５ｂ２）の外郭筒（１５ｂ）の前進端に切割片（１５ａ１）の凸部がそれぞれ弾性復帰力により嵌入されて、図３（ｃ）、図３（ｄ）の状態になる、更に開閉アーム（１５ｃ）を下方に押し前記外郭筒（１５ｂ）を本体（１５ａ）の接続部（１５ｆ）方向に押すことで、図３（ａ）、図３（ｂ）の状態になり組み付けは完了する。
この場合前進端，後退端ストッパーとなる切割片の前記外郭筒（１５ｂ）への組み付けは１度すれば良い。
上記枝ハリス着脱自在具（８ａ−１５）は一例として上下断面長四角で記載しているが形状には拘らなく、丸棒体・六角・八角等の多角形の立方体や断面形状が略楕円形の物を含む。
【００２９】
上記枝ハリス着脱自在具（８ａ−１４、８ａ−１４−１、８ａ−１５）に、より戻し（Ｙ）と、錘（８ｅ）と目印を目的とした絡み止めパイプ（８ｆ）とハリス（８ｂ−１、８ｂ−１Ｇ、８ｂ−１Ｈ）と、上記枝ハリスの先端部に取り付けた係止具（８ｃ）をもつて、主構成とした枝ハリス（８）と合成樹脂を主材とする枝ハリスの着脱自在具であり、（図４参照）
上記より戻し（Ｙ）は市販されているもので良いが１０ｋｇ程度の魚が釣れる事が多々あるので、好ましくはＮＯ３以上の強度あるストッパー付スナップサルカンを使うのが良く、上記枝ハリス着脱自在具と着脱自在具以降の接続具も、好ましくは上記ＮＯ３以上のストッパー付スナップサルカンを使うのが良い。
錘（８ｅ）であるが、好ましいのは０．３号〜６号の中通しの両端方向を小径とした錘であるが、生きた餌を使う（泳がせ釣り）での使用は餌の種類、大きさに依っても違うが、ブリ釣りの試釣では１〜４号を使っていた、
上物魚と底物魚を１本の竿で狙う釣法では３号〜６号と重目の錘（８ｅ）を使うのが好ましい。
この錘は枝ハリス（８）の係止手段Ｂであるが、同一形状の錘の付いていない枝ハリス（８）のハリスに購入後に付ける事は容易に出来るので錘の付いていない枝ハリス（８）も本願発明の範囲とする。
ハリスであるが段落［００６３］で記載しているが、上物魚の大物狙いならフロロカーボンの１０〜１２号は使いたい、但し釣り慣れた人でリールのドラッグの扱いの上手な人は、フロロカーボンの５号で８〜１０ｋｇのフリを釣りあげている。
目印を目的とした絡み止めパイプ（８ｆ）であるが、上記枝ハリス（８）が海面のどの
位値におるかが認識出来る物なら良いが、好ましくは蛍光色の赤・白が良い。
係止具（８ｃ）であるが、シングルフック（一般的に多用されている１本針）ダブルフック（ルアー釣りでは数％使用されている１２０°で２又に成った物）、トリプルフック（ルアー釣りで多用されている１２０°で３又に成った物又は４又に成った物）を1本使う、更に餌掛け用に孫針を追加した物、更に２本の針を直列に結束した物、又２本の針を並列に吊り下げる形にした提灯吊り、２本の針を直列にして1本を遊動としたもの、等々の針の結束方法が上物を釣る釣りに適応できる係止具（８ｃ）の主な結束形体であるが、狙う魚の大きさに適合する物をセレクトする事が好釣果につながる。
浮き釣りの場合は対象魚によりセレクトするが、例えばスズキとかブリ、ヒラソ（ブリの仲間で高級魚）の場合は飲み込み易い大きさでの結束形体を選んで使用する人が多いが、
どの結束形体を選んで使用しても大差ないと聞き及んでいる。
前記（泳がせ釣り）および「上物魚と底物魚を１本の竿で狙う釣り」での上物魚で中、大物狙いには、トリプルフック1本で更に餌掛け用に孫針を追加した物か、２本の針を直列にして２本の針の内1本を遊動とした物か、あるいは餌の魚の腹鰭間に孫針を先端の針に取り付けた物等が好ましい。
【００３０】
図４の説明をすると合成樹脂を主材とした、枝ハリス着脱自在具（８ａ−１４）で、
図１（ａ）から図１（ｃ）で説明しているが、略球状玉体の上部及び左右の概略1／３の両側を欠切し、残りの1／３の中央部に切り欠き溝と略Ｖ字状のスリット（Ｗ）を設け，上記スリット奥に道糸貫通穴（Ｈ）を設け、前記スリット奥の道糸貫通穴（Ｈ）直近に道糸が貫通可能な間隙（Ｓ）を形成した形状をしており、前記欠切した残りの1／３の中央部に略Ｖ字状のスリットを設け、スリットに平行して左右に残した前記略球状玉体の凸片の一方（１４ａ）に枝ハリスの挿入穴（１４ｃ）を設け、上記枝リスの挿入穴に枝ハリスの一方の端部を略球状玉体の中心側から外側に向けて挿入し、
上記一方の枝ハリス端部を抜きだして抜け止め機能を持たせ、又は事前に前記抜け止め機能の処置をした枝ハリスの他方の端部を玉体の外側から中心側方向に挿入し、次に道糸（１０）を前記道糸通糸部（Ｈ）に嵌入して、略球状玉体の凸片の他方（１４ｂ）に２重に巻き付け（船舶の係留鋲に巻き付ける方法で）、接続具のスナップサルカン（８１）と、より戻し（Ｙ）と、錘（８ｅ）と目印となる絡み止めパイプ（８ｆ）と係止具をハリス（８ｂ−１Ｇ、８ｂ−１Ｈ）で繋いだ枝ハリス着脱自在具（８ａ−１４）の道糸への係止形体図であり、前記略球状玉体の凸片の両方（１４ａ、１４ｂ）への連結形体が異なる枝ハリ
ス着脱自在具（８ａ−１４−１）の枝ハリスの前記略球状玉体の凸片の装着方法が異なるだけで、
枝ハリス着脱自在具（８ａ−１４−１）の項で説明しているので省略する。
【００３１】
枝ハリス仕掛け８Ｗ−１５は上記枝ハリスと枝ハリス着脱自在具（８ａ−１５）下部に水の抵抗体Ｔ３を設け（図７、図９参照）、上記水の抵抗体Ｔ３は、水の抵抗体本体（１９ｃ）と外側面に複数に分割した翼部体（１９ａ）と上記翼部体（１９ａ）を開閉自在に保持する翼部体保持構造部（２Ｘａ）で構成されており、上記翼部体（１９ａ）は開くと水の抵抗をうける翼部と、上端部に設けた球体（１９ａａ）と、上記翼部と球体（１９ａａ）を繋ぐ軸部（１９ａｂ）とから成り、上記翼部体保持構造部（２Ｘａ）は、水の抵抗体本体（１９ｃ）に上記翼部の上端部に設けた球体（１９ａａ）を嵌入する嵌入部を設け嵌入し、かつ、嵌入した上記翼部体（１９ａ）を開閉自在に保持する保持キャツプ（１９ｂ）を設けて構設固着しており、さらに上記翼部体（１９ａ）を開閉自在にする弾性リング（１９Ｄａ）とリング嵌入溝を設けており、
魚が掛かり逃げ回ると抵抗体本体（１９ｃ）下部と上記翼部体（１９ａ）との間から大量の水が入り翼部体（１９ａ）を開き逃げ回る力が弱く成ると前記弾性リングの弾性復帰力で翼部体は閉じる構造で、
さらに接続具を含むより戻し（Ｙ）と、錘（８ｅ）と目印となる絡み止めパイプ（８ｆ）と、係止具
をハリス（８ｂ−１）で繋いだ枝ハリス部を上記水の抵抗体Ｔ３の下端部に設けた構造である。
本願発明の実施例に記載の物は一例として例示している物で、水の抵抗体は、円形で例示記載しているが、魚が掛かりその魚の逃げ回る力を衰えさせる機能を有する構造であれば、四角、六角、楕円等々の形状や機構が違っても本願発明に含む。
又水の抵抗をうける翼部は２枚を交互配列で記載しているが、少なくとも３枚に分割された物で配列や水の抵抗をうける翼部どうしの大きさが変わった物でも、水の抵抗をうける翼部間に間隙があるものでも良く本願発明に含む。
更に水の抵抗体部（Ｔ）と枝ハリス着脱自在具（８ａ）と枝ハリス着脱自在具から係止具に至る枝ハリス部の組み合わせ可能な物の組み合わせは、自在に設計出来る。
【００３２】
枝ハリス仕掛け８Ｗ−１８は水の抵抗体部Ｔ２を有する枝ハリスと枝ハリス着脱自在具（８ａ−１８）であり、
上記枝ハリス仕掛け８Ｗ−１８は水の抵抗体部Ｔ２と枝ハリス着脱自在具（８ａ−１８）と枝ハリス着脱自在具から係止具に至る枝ハリス部にて主構成としており、
上記水の抵抗体部Ｔ２は、水の抵抗体本体（１８ｃ）と外側面に複数に分割した水の抵抗をうける翼部体（１８ａ、１８ｂ）と、上記水の抵抗体部Ｔ２に翼部体（１８ａ、１８ｂ）を嵌入する嵌入部（１８Ｄｍ）を設け嵌入し、かつ、上記翼部体（１８ａ、１８ｂ）を開閉自在に保持する保持構造部（１Ｘａ）を上記本体（１８ｃ）の上部に設けた物であり、
水の抵抗体部Ｔ２本体の中央部に線体(もしくは棒体)の枝ハリス着脱自在具を中通しにして設け、前記線体の上部を道糸着脱自在部として、線体の下部をより戻しから係止具に至る枝ハリス部の接続具の連結部にして更に、前記線体の上部＆下部に抜け止め機能構造を設けた、水の抵抗体部Ｔ２を有する枝ハリス着脱自在具（８ａ−１８）の枝ハリス仕掛け８Ｗ−１８である。
又この水の抵抗体Ｔ２は、掛かった魚は仕掛けの先端部の錘の重量と、投げ竿の弾性力と、この水の抵抗体の抵抗力を合わせた力を受けて引っ張るので、魚を早く衰えさせて、魚を早く取り込む事が出来る、またこの水の抵抗体を設けない場合と設けた場合では道糸に掛かる力が数十％少なくなるので、より細い道糸を使用出来るメリットがある。
【００３３】
図８（Ａ）は水の抵抗体部Ｔ２を有する枝ハリス着脱自在具（８ａ−１８）の枝ハリス仕掛け８Ｗ−１８の全体概略図でＴ２の水の抵抗をうける翼部体が閉じて海（海中）に浮いている状態で、この状態で大型魚が釣り針に掛り早い速度で逃げ回ると、本体（１８ｃ）下部と、翼部体（１８ａ、１８ｂ）との間から流入する水の抵抗力を、上記翼部体が受けて上記翼部体を外側に開らき（図１２Ｃ）、上記開らいた翼部体が大型魚の逃げ回る速度にブレーキを掛ける働きをし、大型魚に係る負荷は大きくなり、魚を早く衰えさせる働きをし、魚を早く取り込むことが出来る。
（Ｂ）は（Ａ）図の枝ハリス着脱部(中央部)の部分断面図である水の抵抗体部Ｔ２本体の中央部に線体(もしくは棒体)の枝ハリス着脱自在具（１８Ｈｃ）を中通しにして設け、前記線体の上部を道糸着脱自在部（１８Ｈａ）として線体の下部をより戻しから係止具に至る枝ハリス部の接続具の連結部（１８Ｈｂ）にして更に、前記線体の上部＆下部に抜け止め機能構造（１８Ｈｅ，１８Ｈｓ）を設けたもの、
（Ｃ）は（Ａ）（Ｂ）図の枝ハリス仕掛け８Ｗ−１８に大型魚が掛り早い速度で逃げ回り水の抵抗体部Ｔ２が開らいた図で、この枝ハリス着脱自在具（８ａ−１８）は、道糸通糸穴（Ｈ）から道糸が抜け出ても枝ハリス着脱自在具内に道糸は係止されている構造には成っていないが、道糸への装着は簡単な操作で出来る、枝ハリス着脱自在具である。
上記水の抵抗をうける翼部体は外側（１８ａ）と内側（１８ｂ）の交互に円形で配置され｛ＡのＧ−Ｇ断面図（Ｈ）｝、上記翼部体（１８ａ、１８ｂ）の上部は上記翼部体の保持構造部（１Ｘａ）の切り割溝（1８Ｄｍ）が入った円形嵌入溝に交互（１８ａ、１８ｂ、１８ａ、１８ｂの様に）に並べて嵌入出来る形状にして嵌入している｛嵌入した図は（Ｄ）．（Ｅ）のＨ−Ｈ断面図｝。
（Ｄ）は（Ａ）のＨ−Ｈ部分断面図で水の抵抗体部の水の抵抗をうける翼部体が閉じた図でありこの図の線体の枝ハリス着脱自在部は線体上部に枝ハリスの挿入案内部と道糸通糸穴と道糸通糸穴直近に弾性の間隙（Ｓ）を設けた物で下部の枝ハリス部の接続穴の構造は（Ｆ）図左の構造にしている枝ハリス着脱自在具、
（Ｅ）は（Ａ）のＨ−Ｈ断面図で、水の抵抗力で翼部体（１８ａ、１８ｂ）が切り割溝（１８Ｄｍ）の入った円形嵌入溝の、溝の外縁部（１８Ｃｅ）を押し広げ、上記溝の外縁部下に設けられている上記外縁部の曲り止め（１８Ｃｐ）と１８ａ、１８ｂの開角端ストッパー（１８ａｓ、１８ｂｓ及び１８ｃｓ）で、開口角度を保持している、
（Ｆ）線体(又は棒体)の枝ハリス着脱自在具（８ａ−１８）の下側のより戻し及び接続具等の例図で、
左は、線体（１８Ｈｃ）の下端部により戻し及び接続具等の係止穴（１８Ｈｂ）を設けて上側に半回転から1回転半巻き付け一部巻き付け残し部（１８Ｈｅ）を線体（１８Ｈｃ）の上方向の抜け止め及びより戻し及び接続具等の挿入案内部として残している。
右は棒体（１８Ｈｃ）の端部により戻し及び接続具等の係止穴（１８Ｈｂ）を設けて上側に上方向の抜け止め（１８Ｈｓ）を設けている。
（Ｇ）は線体(又は棒体)の枝ハリス着脱自在具の上側の道糸への着脱自在部の例図で、
左は、線体（１８Ｈｃ）の上端部に道糸への着脱自在部の道糸係止穴（１８Ｈａ）
を設けて下側に半回転から1回転半道糸を挿入係止出来る間隙（Ｓ）を設けて線体を巻き付け一部巻き付け残し部（１８Ｈｓ）を線体（１８Ｈｃ）の下方向の抜け止め及び道糸の着脱の挿入案内部として残している。
右は棒体（１８Ｈｃ）の上端部に道糸への着脱自在部の道糸係止穴（１８Ｈａ）
を設けて下側に下方向の抜け止め（１８Ｈｓ）を設けている。
上記水の抵抗体部Ｔ２の上部に単体で  枝ハリス着脱自在具（８ａ−１５、８ａ−１９Ｃ、８ａ−２０、８ａ−２１）を連結することが出来る物は、組み合わせの違いのみであるので本願発明に含む。
【００３４】
枝ハリス仕掛け８Ｗ−１９Ａは水の抵抗体部Ｔ３を有する枝ハリスと枝ハリス着脱自在具（８ａ−１９Ｃ）であり、
上記枝ハリス仕掛け８Ｗ−１９Ａは水の抵抗体部Ｔ３と枝ハリス着脱自在具（８ａ−１９Ｃ）と枝ハリス着脱自在具から係止具に至る枝ハリス部にて主構成としており、
上記水の抵抗体部Ｔ３は、水の抵抗体本体（１９ｃ）と外側面に複数に分割した水の抵抗をうける翼部体（１９ａ）と上記翼部体（１９ａ）を開閉自在に保持する翼部体保持構造部（２Ｘａ）で構成されており、上記翼部体（１９ａ）は開くと水の抵抗をうける翼部と、上端部に設けた球体（１９ａａ）と上記翼部と球体（１９ａａ）を繋ぐ軸部（１９ａｂ）とから成り、上記翼部体保持構造部（２Ｘａ）は、水の抵抗体本体（１９ｃ）に上記水の抵抗をうける翼部の上端部に設けた球体（１９ａａ）を嵌入する嵌入部を設け嵌入し、かつ、嵌入した上記翼部体（１９ａ）を開閉自在に保持する保持キャツブ（１９ｂ）を設けて構設固着しており、さらに上記翼部体（１９ａ）を開閉自在にする弾性リング（１９Ｄａ）とリング嵌入溝を設けており、魚が掛かり逃げ回ると抵抗体本体（１９ｃ）と上記翼部体（１９ａ）との間から大量の水が入り翼部体（１９ａ）を開き｛９図（Ｂ）｝逃げ回る力が弱く成ると前記弾性リングの弾性復帰力で翼部体は閉じる構造である。
枝ハリス仕掛け８Ｗ−１９Ａの枝ハリス着脱自在具（８ａ−１９Ｃ）は｛枝ハリス着脱自在具（８ａ−１９Ｃ）単体で着脱自在具として使用出来るものを上記水の抵抗体部Ｔ３と結合させて設けたものである。｝１２図（Ａ〜Ｅ）の枝ハリス着脱自在具であり、略長方形の板体の本体部（１９ＡＺ）に道糸着脱口開閉片（１９ｐ）と道糸通糸穴（Ｈ）と上記道糸着脱口開閉片から道糸通糸穴に繋がる道糸案内部（１９ｐａ）とを設け、上記道糸着脱口開閉片に外力が加わらない時には、道糸着脱部を閉止状態に保持する道糸着脱口開閉片に外力が加わらない時には、道糸着脱部を閉止状態に保持する閉止状態保持（１９Ｄｂ）と閉止状態保持片嵌入部（１９ｃｃ）を設け、閉止状態保持片（１９Ｄｂ）を、嵌入して設けた本体下部を、上記水の抵抗体部Ｔ３の保持キャツプ（１９ｂ）部に固着して設けた物である。
又上記水の抵抗体部Ｔ３は、掛かった魚は仕掛けの先端部の錘の重量と、投げ竿の弾性力と、この水の抵抗体の抵抗力を合わせた力を受けて引っ張るので魚を早く衰えさせて、魚を早く取り込む事が出来る、またこの水の抵抗体を設けない場合と設けた場合では道糸に掛かる力が数十％少なくなるので、より細い道糸を使用出来るメリットがある。
図９（Ａ）は水の抵抗体部Ｔ３を有する枝ハリス着脱自在具（８ａ−１９Ｃ）の枝ハリス仕掛け８Ｗ−１９Ａの全体概略図で、水の抵抗体部Ｔ３が閉じて海（海中）に浮いている状態で、この状態で大型魚が釣り針に掛り早い速度で逃げ回ると、本体（１９ｃ）下部と、水の抵抗をうける翼部（１９ａ）との間から流入する水の抵抗力を、上記翼部体が受けて上記翼部体を外側に開らき（図９Ｂ）、上記開らいた翼部体が大型魚の逃げ回る速度にブレーキを掛ける働きをし、大型魚に係る負荷は大きくなり、魚を早く衰えさせる働きをし、魚を早く取り込むことが出来る。
（Ｂ）は（Ａ）図の枝ハリス仕掛け８Ｗ−１９Ａに大型魚が掛り早い速度で逃げ回り水の抵抗体部Ｔ３が開らいた図で、この枝ハリス着脱自在具（８ａ−１９Ｃ）は道糸通糸穴（Ｈ）から道糸が抜け出ても枝ハリス着脱自在具内に道糸は係止されている構造には成っていないが装着は簡単な操作で出来る、枝ハリス着脱自在具である。
（Ｃ）は水の抵抗体本体（１９ｃ）と外側面に複数に分割した翼部体（１９ａ）と上記翼部体（１９ａ）を開閉自在に保持する翼部体保持構造部（２Ｘａ）の詳細構造を表した（Ａ）図のＢ−Ｂ断面図で水の抵抗体本体（１９ｃ）に上記水の抵抗をうける翼部の上端部に設けた球体（１９ａａ）を嵌入する嵌入部を設け嵌入し、かつ、嵌入した上記翼部体（１９ａ）を開閉自在に保持する保持キャツブ（１９ｂ）を設けて構設固着した部分の断面図で、左側は上記翼部体が開いた図で、右側は上記翼部体が閉じた図である。
（Ｄ）は（Ａ）のＡ−Ａ断面図で水の抵抗体部の翼部体が閉じている図であり、
この水の抵抗体部Ｔ３は翼部体を４分割で例示しているが、４分割には拘らない、更に（Ｂ）図の水の抵抗をうける１９ａの翼部を閉じた時内側、外側  、内側、外側の様にＷらせる形にして水の抵抗をうける翼部面積をひらいた時大きくする事も出来る（図面は無い）
【００３５】
枝ハリス仕掛け８Ｗ−１９Ｂは水の抵抗体部Ｔ３を有する枝ハリス着脱自在具（８ａ−１９Ｂ）であり、
上記枝ハリス８Ｗ−１９Ｂは水の抵抗体部Ｔ３と枝ハリス着脱自在具（８ａ−１９Ｂ）と枝ハリス着脱自在具から係止具に至る枝ハリス部にて主構成としており、
前記枝ハリス８Ｗ−１９Ａとの相違点は８Ｗ−１９Ａは枝ハリス着脱自在具（８ａ−１９Ａ）が水の抵抗体部の上部に位置している（道糸１０の下側に係止されている）のに対して、
枝ハリス着脱自在部（８ａ−１９ＢＺ）が水の抵抗体部の下部に位置している（道糸１０の上側に係止されている）事と、
枝ハリス着脱自在部が（８ａ−１９Ｃ）単体で着脱自在具として使用出来るものを上記水の抵抗体部Ｔ３と結合させて設けた｛１２図（Ａ〜Ｅ）の｝枝ハリス着脱自在具であるのに対して、枝ハリス着脱自在部（８ａ−１９ＢＺ）は水の抵抗体部の本体下部に設けている点が相違点であるので、            
枝ハリス着脱自在部（８ａ−１９ＢＺ）の構造のみを説明する。
枝ハリス着脱自在部（８ａ−１９ＢＺ）は上記水の抵抗体部Ｔ３の本体下部の支柱内に組み付ける、道糸案内部（１９ｐｂ）と道糸着脱口開閉片（１９ｐｃ）と道糸着脱口開閉片作動部（１９Ｄｃ）と、また状に成った嵌入動作片（１９Ｋｐ）とを有する組付け部品（１９Ｋ）を設け、
上記また状に成った嵌入動作片（１９Ｋｐ）には中央下部に凹部（１９Ｄｍ）を有し、先端にまた状に成った嵌入動作片（１９Ｋｐ）の保持部と成る凸部（１９Ｋｔ）と  嵌入作動部（１９Ｄｋ）とを有しており、
上記水の抵抗体部Ｔ３の本体下部の支柱内には、道糸通糸穴（Ｈ）と、道糸着脱口開閉片（１９ｐｃ）を閉止状態に保持する閉止状態保持片（１９Ｄｂｂ）と、上記凸部（１９Ｋｔ）をうける凹部（１９Ｋｕ）を有する組み入れ部（１９Ｋｂ）を設けており、
上記組み付け部品（１９Ｋ）を、上記水の抵抗体部Ｔ３本体下部の支柱内の組み入れ部（１９Ｋｂ）に組み込む構造の、枝ハリス着脱自在部（８ａ−１９ＢＺ）である。
【００３６】
図１１（Ａ）は枝ハリス着脱自在部（８ａ−１９ＢＺ）の上記水の抵抗体部Ｔ３の本体下部の支柱内に設けた正面図で、組み付け部品の（１９Ｋ）を組み付けた図で道糸着脱口（１９−ＢＷ）と道糸通糸穴（Ｈ）と組み付け部品の（１９Ｋ）の組み付けた状態図と、より戻し（Ｙ）と錘（８ｅ）とカラミ防止パイプ（８ｆ）と係止具（８ｆ）をハリス（８ｂ−１）と接続具で連結する連結穴の構成を示した図であり、
（Ｂ）は（Ａ）を９０°反転させた枝ハリス着脱自在部（８ａ−１９ＢＺ）の側面図で大部分の主要部を断面図にしたもので、前記道糸着脱口（１９−ＢＷ）の道糸着脱口開閉片（１９ｐｃ）と道糸着脱案内部とに外力が加わらない時には、道糸着脱口（１９−ＢＷ）を閉止状態に保持する閉止状態保持片（１９Ｄｂｂ）の配置構成を示した図であり、
（Ｃ）は（Ｂ）の道糸着脱口開閉片（１９ｐｃ）を矢印方向に押し前記道糸着脱口（１９−ＢＷ）を開口し、道糸（１０）を挿入出来る状態にして挿入した図であり、挿入後は道糸着脱口（１９−ＢＷ）を閉止状態に保持する閉止状態保持片（１９Ｄｂｂ）の弾性復帰力で（Ｂ）の状態に戻り、道糸着脱口（１９−ＢＷ）を閉口状態にした断面図である。
（Ｄ）は組み付け部品（１９Ｋ）オンリーの斜視図で、
（Ｅ）は水の抵抗体部Ｔ３の本体下部の支柱内に設けた（Ｄ）の組み付け部品の（１９Ｋ）を組み込む側の主要部の断面図であり、組み付ければ（Ａ）、（Ｂ）図となる。
上記水の抵抗体部Ｔ３の上部に単体で  枝ハリス着脱自在具（８ａ−１５、８ａ−１９Ｃ、８ａ−２０、８ａ−２１）を連結することが出来る物は、組み合わせの違いのみであるので本願発明に含む。
【００３７】
枝ハリス着脱自在具（８ａ−１９Ｃ）は枝ハリス着脱自在具であり、略長方形の板体の本体部（１９ＣＺ）に道糸着脱口開閉片（１９ｐ）と道糸通糸穴（Ｈ）と前記道糸着脱部から道糸通糸穴に繋がる道糸案内部（１９ｐａ）とを設け、前記道糸着脱口開閉片（１９ｐ）と道糸案内部とに外力が加わらない時には、道糸着脱口部を閉止状態に保持する閉止状態保持片（１９Ｄｂ）と閉止状態保持片嵌入部（１９ｃｃ）を設け、前記閉止状態保持片（１９Ｄｂ）を嵌入して設けた物である。
【００３８】
図１２（Ａ）は枝ハリス着脱自在具（８ａ−１９Ｃ）の正面図に少し斜視図部分を加えた図であり、
道糸通糸穴に道糸を通し枝ハリス着脱自在具（８ａ−１９Ｃ）が道糸に係止されている事を現した図。
（Ｂ）は（Ａ）を９０°反転させた枝ハリス着脱自在具（８ａ−１９Ｃ）の側面図で一部主要部の断面図で前記道糸着脱口開閉片作動部（１９Ｄｃ）を有する道糸着脱口開閉片（１９ｐ）と道糸着脱案内部（１９ｐａ）とに外力が加わらない時には、道糸着脱口を閉止状態に保持する閉止状態保持片（１９Ｄｂ）を嵌入口に嵌入した図で、道糸着脱口を閉止状態に保持する閉止状態保持片（１９Ｄｂ）の嵌入部を断面図にしたものである。
（Ｃ）は（Ｂ）の道糸着脱口開閉片（１９ｐ）を矢印方向に押し前記道糸着脱口を開口し道糸（１０）を挿入出来る状態にした図で、道糸着脱口を閉止状態に保持する閉止状態保持片（１９Ｄｂ）の嵌入部を断面図にしたものである。
（Ｄ）は道糸着脱口を閉止状態に保持する閉止状態保持片（１９Ｄｂ）の嵌入口（１９ｃｃ）部を部分断面図にした物であり、前記嵌入口中程部に組み付ければ、前記閉止状態保持片（１９Ｄｂ）の抜け止めとなる凹部（１９Ｋｕ）を設けた、略長方形の板体の本体部（１９ＣＺ）のオンリー図（成型オンリー図）である。
（Ｅ）は道糸着脱口を閉止状態に保持する閉止状態保持片（１９Ｄｂ）オンリーの斜視図で、（Ｄ）の前記嵌入口中程部に組み付ければ、前記閉止状態保持片（１９Ｄｂ）の抜け止めとなる凹部（１９Ｋｕ）に相対する、抜け止めとなる凸部（１９Ｋｔ）を有し、左右からつまんで前記嵌入口（１９ｃｃ）に嵌入するまた状の嵌入保持片（１９Ｄｎ）である。
以上の図面説明で判ると思えるが、この枝ハリス着脱自在具（８ａ−１９Ｃ）は２体｛本体部（１９ＣＺ）と閉止状態保持片（１９Ｄｂ）｝をオンリー成型し本体部（１９ＣＺ）閉止状態保持片（１９Ｄｂ）を嵌入する簡単な作業で出来るので枝ハリス着脱自在具の中では低コスト品と言え、着脱操作も簡単である。
【００３９】
枝ハリス８Ｗ−２０は枝ハリス着脱自在具（８ａ−２０）と、水の抵抗体部Ｔ4を連結した図であり、
上記枝ハリス８Ｗ−２０は水の抵抗体部Ｔ4と枝ハリス着脱自在具（８ａ−２０）と枝ハリス着脱自在具から係止具に至る枝ハリス部にて主構成としており、
枝ハリス着脱自在具は長方形の立方体の本体（２０ａ）先端部に道糸着脱操作片（２０ｃ）と道糸通糸穴（Ｈ）を設け、長方形の立方体本体部には上記道糸着脱操作片（２０ｃ）の収納部（２０ｃｎ）と上記立方体本体部に上記道糸着脱操作片（２０ｃ）の開閉をロックする外筒（２０ｂ）と上記外筒のスライド操作の弾性部（２０Ｄ）と弾性変形端ストッパー（２０ｓｎ）と上記外筒のスライド前進端ストッパー（２０ｓｆ）、前進、後退位置保持ストッパー（２０ｓｍ）、後退端ストッパー（２０ｓｂ）を設けた物で、
図１３（Ａ）は上記道糸着脱操作片（２０ｃ）を道糸着脱操作片（２０ｃ）の収納部（２０ｃｎ）収納し、外筒を前進端に位置させた、上記外筒を透視した枝ハリス着脱自在具（８ａ−２０）の概略全体斜視図で、（Ａ）の状態から弾性部（２０ｃ）を弾性変形ストッパー（２０ｓｎ）に当たる迄右方向に押し、外筒のスライド前進、後退位置保持ストッパー（２０ｓｍ）、を外筒が乗り越え後退端ストッパー（２０ｓｂ）に当たる迄スライドさせた図（Ｂ）は上記長方形の立方体の本体先端部に設けている道糸着脱操作片（２０ｃ）を上方に捻じ曲げる形に上げ、道糸を道糸通糸穴に通せる間隙を設け、道糸を道糸通糸穴に通し
上記道糸着脱操作片（２０ｃ）の収納部（２０ｃｎ）に収納し、
図（Ｃ）は弾性部（２０Ｄ）を弾性変形ストッパー（２０ｓｎ）に当たる迄右方向に押し、外筒のスライド前進端、後退端位置保持ストッパー（２０ｓｍ）、を外筒が乗り越え前進端ストッパー（２０ｓｆ）に当たる迄スライドさせた図で、外筒の前進端、後退端位置の保持は前進、後退位置保持ストッパー（２０ｓｍ）が弾性復帰力で元の形状の位置に戻る事で保持出来ている。
上記水の抵抗体部Ｔ4は上下の蓋部（２ａ−１、２ａ−２）と前記上下蓋部間の筒体外郭部（２ｂ）と前記筒体外郭部の中に内蔵されている形状記憶弾性体袋（２ｖ）（形状記憶弾性体袋は外部から力が加わらない状態での形状を元の形状として、何れかの方向から力が加わると、その力に呼応する形に変形し、前記何れかの方向から力が掛らなくなると元の形状になる袋体}とで構成されており、
上記筒体外郭部（２ｂ）は複数の上下方向の切割溝で分割され、上下の蓋部（２ａ−１、２ａ−２）に繋がっており、かつ、上下の蓋部の接続部に左右方向の谷折れ線を、更に溝で分割された筒体外郭部（２ｂ）に少なくとも1か所、左右方向の山折れ線を設けており、
上記筒体外郭部の中に内蔵されている形状記憶弾性体袋（２ｖ）には、概中心部上下方向に貫通した道糸を通す弾性体の管体（２ｓ）を設けているもので、
｛上記水の抵抗体部Ｔ4は筒体で記載しているが、形状記憶弾性体袋（２ｖ）を内蔵するものであり、魚の引っ張る力で水の抵抗を受ける抵抗盤（板）部を形成する物なら、ラグビーボール型でも瓢箪型でも良く形状には拘らない。｝。
更に形状記憶弾性体袋（２ｖ）の中に液体を封入することで、錘等を付加しなくても比重を１．０前後にすることが出来る。
【００４０】
図１４の説明をすると（Ａ）は筒体の水の抵抗体部Ｔ4の、上下の蓋部（２ａ１、２ａ２）と前記上下蓋部間の筒体外郭部（２ｂ）と、上記筒体に内蔵されている、形状記憶弾性体袋（２ｖ）が元の形状で海（海中）に浮いている（図１４Ａ・錘等を２ａ２側の蓋部に付けて縦に浮いている｛（図１４Ｃ）は図１４ＡのＪ−Ｊ断面図｝状態で、上記筒体外郭部（２ｂ）は複数の上下方向の切割溝で分割され、上下の蓋部（２ａ１、２ａ２）に繋がっており、上蓋部（２ａ１）より上に枝ハリスがある場合は魚が掛かり上方向に引っ張られると、水の抵抗体部Ｔ4本体の下に設けているしもり（５ａ）が、しもり止め（６ａ）で止まり、前記しもり（５ａ）が水の抵抗体部Ｔ4本体の下蓋部（２ａ２）を上方向に押し上げようとするが上蓋部（２ａ１）部が受ける水の抵抗で下蓋部（２ａ２）と形状記憶弾性体袋（２ｖ）とが押し潰されて｛同時に道糸を通す弾性体の管体も自在に変形する（図１４ＢのＫ−Ｋ断面図・図１４Ｄ）｝、筒体中間部が横外方向に変形し、水の抵抗を受ける円盤部を形成し更に大きな水の抵抗を受ける円盤部となり（図１４Ｂ）逃げ回る速度にブレーキを掛け大型魚に係る負荷は大きくなり、魚を早く衰えさせ早く取り込むことが出来る（この時５・６は不要の場合がある）。
｛水の抵抗体部Ｔ4の下側に針がある場合は魚が掛かり下方向に引っ張られると、水の抵抗体部Ｔ4本体の上蓋部（２ａ１）を下方向に引き下げようとするが下蓋部（２ａ２）部が受ける水の抵抗で上蓋部（２ａ１）と形状記憶弾性体袋（２ｖ）とが押し潰され水の抵抗体部Ｔ4となる。（この時は５ａ・６ａは不要）｝
上記水の抵抗体部Ｔ4  の上部に単体で  枝ハリス着脱自在具（８ａ−１５、８ａ−１９Ｃ、８ａ−２０、８ａ−２１）を連結することが出来る物は、組み合わせの違いのみであるので本願発明に含む。
【００４１】
上記枝ハリス仕掛け８Ｗ−２０は｛枝ハリス着脱自在具（８ａ−２０）単体で着脱自在具として使用出来るものを上記水の抵抗体部Ｔ4と連結させて設けたものである。｝１３図（Ａ〜Ｃ）の枝ハリス着脱自在具であり、略長方形の板体の弾性性状を有する本体部の上部に道糸通糸穴（Ｈ）と、道糸着脱操作部を一部分上記本体部から切り抜いた形の弾性片（２０ｃ）の一部分上記本体部から切り抜いた後の凹部を、道糸着脱操作部の弾性片収納部（２０ｃｎ）として設けており、
前記道糸着脱操作部の弾性片収納部（２０ｃｎ）の下部にロック構造の外筒（２０ｂ）を操作する弾性操作部（２０Ｄ）を設け、前記ロック構造の外筒（２０ｂ）を別体で設けて、前記本体部に組み付けており、
前記ロック構造の外筒を操作する弾性操作部（２０Ｄ）は前記道糸着脱操作部の弾性片収納部（２０ｃｎ）の下部の中を切り抜いて外周部を残し、左側の外周部を弾性外周部としており、右側の外周部内面に左側外周部の弾性外周部の曲り過ぎを規制するストッパー（２０ｓｎ）を設けており、
外周部外面に前記ロック構造の外筒の前進端ストッパー（２０ｓｆ），後退端ストッパー（２０ｓｂ）、及び前進端位置保持の凸部（２０ｓｍ）を設けており、
弾性性状を有する本体部の下部に上記水の抵抗体部Ｔ4と連結させる連結具連結穴を設けておる構造で、
図１３（Ａ）は左側の外周部の弾性操作部（２０Ｄ）を矢印方向に押すか又は仮想線のロック構造の外筒を手で下方向に下げるかして前記仮想線のロック構造の外筒を下方向に移動させ、
（Ｂ）の状態にして、前記道糸着脱操作部の弾性片（２０ｃ）の２０ｃ部（の２０ｃｔに指を掛けて）を手前に引き上げ、前記本体部と前記道糸着脱操作部の弾性片（２０ｃ）との間に道糸着脱出来る間隙を作り、道糸を本体部上部の道糸通糸穴（Ｈ）に装着して、前記道糸着脱操作部の弾性片（２０ｃ）を前記道糸着脱操作部の弾性片収納部（２０ｃｎ）に収納する、
（Ｃ）はロック構造の外筒を上方向に押し揚げ、前進端位置保持の凸部（２０ｓｍ）を乗り越えさせて上方向に移動させて、道糸（１０）の装着及び前記道糸着脱操作部の弾性片（２０ｃ）のロック完了となり、道糸を外す時は、逆の操作を行う。
（Ｄ）は筒体の水の抵抗体部Ｔ4と連結して更に枝ハリスのより戻しから（Ｙ）係止具に至る部分（図面では省略している）と連結して、枝ハリス８Ｗ−２０とした図である。
（Ｅ）は（Ｄ）の枝ハリス８Ｗ−２０に魚が掛かり逃げ回り水の抵抗により、水の抵抗体部Ｔ4が潰れてより大きな水の抵抗を受ける形になっている図である。
【００４２】
枝ハリス仕掛け８Ｗ−２１は水の抵抗体部Ｔ３を連結した枝ハリス着脱自在具（８ａ−２１）であり、
上記枝ハリス仕掛け８Ｗ−２１は水の抵抗体部Ｔ３と枝ハリス着脱自在具（８ａ−２１）と枝ハリス着脱自在具から係止具に至る枝ハリス部（より戻し（Ｙ）錘（８ｅ）カラミ防止パイプ（８ｆ）係止具（８ｆ）をハリス（８ｂ−１）と接続具で連結した物）にて主構成としており、
上記水の抵抗体部Ｔ３は、水の抵抗体本体（１９ｃ）と外側面に複数に分割した水の抵抗をうける翼部体（１９ａ）と上記翼部体（１９ａ）を開閉自在に保持する翼部体保持構造部（２Ｘａ）で構成されており、上記翼部体（１９ａ）は開くと水の抵抗をうける翼部と、上端部に設けた球体（１９ａａ）と上記翼部と球体（１９ａａ）を繋ぐ軸部（１９ａｂ）とから成り、上記翼部体保持構造部（２Ｘａ）は、水の抵抗体本体（１９ｃ）に上記水の抵抗をうける翼部の上端部に設けた球体（１９ａａ）を嵌入する嵌入部を設け嵌入し、かつ、嵌入した上記翼部体（１９ａ）を開閉自在に保持する保持キャツブ（１９ｂ）を設けて構設固着しており、さらに上記翼部体（１９ａ）を開閉自在にする弾性リング（１９Ｄａ）とリング嵌入溝を設けており、
魚が掛かり逃げ回ると抵抗体本体（１９ｃ）と上記水の抵抗をうける翼部（１９ａ）との間から大量の水が入り翼部体（１９ａ）を開き｛１０図（Ｂ）｝逃げ回る力が弱く成ると前記弾性リングの弾性復帰力で翼部体は閉じる構造である。
【００４３】
枝ハリス仕掛け８Ｗ−２１は略球状体に弾性片（ＳＥ）を設け道糸着脱部として、奥にむけて道糸案内部（Ｗ）と間隙（Ｓ）と道糸通糸穴（Ｈ）を設けた枝ハリス着脱自在具（８ａ−２１）に、水の抵抗体Ｔ２，Ｔ３，Ｔ４，Ｔ６の何れかと結合させた枝ハリス仕掛け。
上記枝ハリス仕掛け８Ｗ−２１は｛枝ハリス着脱自在具（８ａ−２１）単体で着脱自在具として使用出来るものを上記水の抵抗体部Ｔ３と連結させて設けたものである。｝１５図（Ａ〜Ｆ）の枝ハリス着脱自在具であり、弾性性状を有する略玉体の本体部（２１Ｚ）に道糸通糸穴（Ｈ）と、道糸着脱片部（ＳＥ部）と道糸着脱案内部（Ｗ）と道糸着脱案内部奥に上記道糸通糸穴（Ｈ）に貫通する間隙（Ｓ）を設けており、
上記道糸着脱片部（ＳＥ部）は道糸着脱口開閉片（ＳＥ）と道糸着脱口開閉片を受け道糸着脱口の閉止状態を保持する前記道糸着脱片保持部を兼ねたガイド部（２１ｂ）を設けており、
上記道糸着脱口開閉片（ＳＥ）は道糸着脱口開閉片（ＳＥ）の閉止方向の弾性力を強くするように、先端部から本体部に向かって横方向断面積を次第に大きくしており、上記道糸着脱口開閉操作後の弾性復帰力で閉止状態保持する形状で、略玉体の本体部（２１Ｚ）につながっており、
上記道糸着脱口開閉片の先端部より数ミリ  略玉体の本体部（２１Ｚ）方向の位置の両側に凹部（ＳＥ−ｂ）を設けており、
上記両側の凹部を前記道糸着脱片保持部と兼ねたガイド部（２１ｂ）が挟む形にして設けており、この状態は道糸着脱口開閉片（ＳＥ）をロックした状態で、かつ、
上記略玉体の本体下部に枝ハリスのより戻しから（Ｙ）係止具に至る枝ハリス部を接続する接続穴（２１ｆ）を設けた物で、上記接続穴は枝ハリス着脱自在具（８ａ−２１）単体で枝ハリス着脱自在具として使用しない時は不要となる。
【００４４】
上記枝ハリス着脱自在具（８ａ−２１）の道糸着脱操作は１５図（Ａ）の概略右側Ｐの字の位置の前後方向に道糸を張った状態で位置させる様に上記枝ハリス着脱自在具を持って行き、その状態から上記枝ハリス着脱自在具を右方向に押し込むと道糸着脱口開閉片（ＳＥ）が（Ｄ）図の形に変形して押し込まれ、前記道糸は開口部から道糸着脱案内部（Ｗ）を案内として間隙（Ｓ）から道糸通糸穴（Ｈ）に押し込まれ、上記道糸着脱口開閉片（ＳＥ）は前記道糸着脱片保持部を兼ねたガイド部（２１Ｂ）に弾性復帰力で収まり、１５図（Ａ・Ｃ）になる、
この操作は慣れれば簡単に出来る様に成る。
更に上記枝ハリス着脱自在具（８ａ−２１）は道糸通糸穴（Ｈ）から道糸が抜け出ても、枝ハリス着脱自在具内に係止される｛道糸着脱案内部（Ｗ）から上記道糸着脱口開閉片（ＳＥ）内で係止されるので掛った魚は逃がさない｝構造に成っている。
【００４５】
図１５（Ａ）は上記枝ハリス着脱自在具（８ａ−２１）の正面図で、略玉体の本体部（２１Ｚ）の略中央部に道糸通糸穴（Ｈ）を設け、前記道糸通糸穴（Ｈ）から道糸着脱案内部（Ｗ）に接続する間隙（Ｓ）と道糸着脱案内部（Ｗ）と、上記道糸着脱口開閉片（ＳＥ）と枝ハリスのより戻しから（Ｙ）係止具に至る枝ハリス部を接続する接続穴（２１ｆ）を設けた構造図で、上記道糸着脱口開閉片（ＳＥ）の道糸着脱口が閉止している図である。
（Ｂ）は（Ａ）を右側から見た側面図で上記道糸着脱口開閉片（ＳＥ）が、略玉体の本体部（２１Ｚ）の略中央部の上下方向に設けられている図である。
（Ｃ）は前記段落で説明している（Ａ）の上記道糸着脱口開閉片（ＳＥ）作動範囲部分の断面図であり、仮想線で囲んでいる部分は道糸着脱口開閉片部（ＳＥ部）で、（Ｆ）で説明する
（Ｄ）は（Ａ）、（Ｃ）の上記道糸着脱口開閉片（ＳＥ）を開口して道糸を道糸通糸穴（Ｈ）
に着脱する時のＳＥ部の動きを現した図で、前記道糸着脱片保持部を兼ねたガイド部（２１ｂ）で保持されていた上記道糸着脱口開閉片（ＳＥ）を右から左に押して開口し、道糸を道糸着脱案内部（Ｗ）から間隙（Ｓ）を貫通させ前記道糸通糸穴（Ｈ）に挿入する図であり、取り外す時は道糸着脱口開閉片（ＳＥ）を右から左に押して開口し、道糸を取り外す。
（Ｅ）は（Ａ）のＰ−Ｐ断面図で上記道糸着脱口開閉片（ＳＥ）が前記道糸着脱片保持部を兼ねたガイド部（２１ｂ）で保持されており、かつ、道糸着脱口閉止状態の上記道糸着脱口開閉片の両側の凹部（Ｓｅ−ｂ）に嵌まってロックされている状態を現している図で有る。
（Ｆ）は（Ｃ）の上記道糸着脱口開閉片部（ＳＥ部）の斜視図で、先端部から本体部に向かって横方向断面積を次第に大きくして弾性力を強くしており、上記道糸着脱口開閉操作後の弾性復帰力で閉止状態保持する形状で、上記道糸着脱口開閉片の先端部より数ミリ  略玉体の本体部（２１Ｚ）接続方向の位置の両側に凹部（Ｓｅ−ｂ）を設けておる、ＳＥ部の斜視図である。
【００４６】
図１６は上記枝ハリス仕掛け８Ｗ−２１の水の抵抗体部Ｔ３と枝ハリスと枝ハリス着脱自在具（８ａ−２１）と枝ハリス着脱自在具（８ａ−２１）から係止具に至る概略全体図である。
水の抵抗体部Ｔ３と枝ハリス着脱自在具（８ａ−２１）とを結合（連結）したもので、水の抵抗体部Ｔ３と枝ハリス着脱自在具（８ａ−２１）との結合（連結）関係で本図は抵抗体部Ｔ３が下であるが、上に位置させて、Ｔ３の本体（１９ｃ）下端部に枝ハリス着脱自在具（８ａ−２１）を接合（連結）させるのも本願発明の範囲である。
【００４７】
図１７（Ａ）から（Ｃ）は、図１２に記載の枝ハリス着脱自在具（８ａ−１９Ｃ）で、｛（８ａ−１９Ｃの説明は段落ＮＯ００３４，００３７，００３８）でしているので省略する。｝
前記枝ハリス着脱自在具（８ａ−１９Ｃ）を水の抵抗体部Ｔ２Ｔ３Ｔ４の上部に結合した図であり、
図１７（Ａ）は水の抵抗体部Ｔ２と結合した図で、図１７（Ｂ）は水の抵抗体部Ｔ３と結合した図で、図１７（Ｃ）は、水の抵抗体部Ｔ４と結合した図である。
この図のより戻しから係止具に至る枝ハリス部の下端の係止具（８ｃ）の連結結束形体は、
段落ＮＯ．００６１で詳細に説明する。
これは本願発明人及びサポートしてくれる人と泳がせ釣りの試釣の間に釣り上げた魚の、釣り上げる前に胃袋の中に入っている食べられた魚は、尻尾が奥で頭部が手前で餌となる魚を追っかけて一飲みで食べている物と推察される為である。
本願発明実施例に記載枝ハリス着脱自在具を水の抵抗体部Ｔ２Ｔ３Ｔ４Ｔ６と結合する事が出来る事を図面で示した物で、この考えを適用出来ない物もある。
前記枝ハリス着脱自在具（８ａ−１９Ｃ）を水の抵抗体部Ｔ２Ｔ３Ｔ４Ｔ６の下部に結合した図は
記載していないが、下部にも結合する事が出来る。
【００４８】
枝ハリス仕掛け８Ｗ−２２は水の抵抗体部Ｔ６を連結した枝ハリス着脱自在具（８ａ−１９Ｃ）であり、
上記枝ハリス仕掛け８Ｗ−２２は水の抵抗体部Ｔ６と枝ハリス着脱自在具（８ａ−１９Ｃ）と枝ハリス着脱自在具から係止具に至る枝ハリス部にて主構成としており、
上記水の抵抗体部Ｔ６は、水の抵抗体本体（Ｔ６ｃ）と、上記水の抵抗体本体（Ｔ６ｃ）と水の抵抗をうける翼部を外側面に複数に分割した翼部体（Ｔ６ａ、Ｔ６ｂ）とで構成しており、
上記水の抵抗体本体（Ｔ６ｃ）と複数に分割した翼部体（Ｔ６ａ、Ｔ６ｂ）の連結部に弾性部を設け、ヒンジ部（Ｔ６ｈｎ）として開閉自在に結合（連結）しており、
上記水の抵抗体本体（Ｔ６ｃ）に複数に分割した翼部体（Ｔ６ａ、Ｔ６ｂ）の傾動角設定のストッパー（Ｔ６Ｓｔ）設けており、更に弾性リング（Ｔ６Ｄ）と弾性リング保持部（Ｔ６Ｄｕ）と外側の翼部体（Ｔ６ａ）に内側の翼部体（Ｔ６ｂ）を保持する凸片（Ｔ６ａｔ）を設けており。
（枝ハリス着脱自在具（８ａ−１９Ｃ）は、段落００３４，００３７、００３８に記載しているので説明は省略する。）
【００４９】
上記水の抵抗体部Ｔ６は魚が掛かり逃げ回ると抵抗体本体（Ｔ６ｃ）と、水の抵抗体本体（Ｔ６ｃ）の外側部を複数に分割した翼部体（Ｔ６ａ、Ｔ６ｂ）との、下部の間から大量の水が入り｛図１８（Ｂ）｝弾性ヒンジ部（Ｔ６ｈｎ）で開閉自在に結合（連結）しておる前記翼部体（Ｔ６ａ、Ｔ６ｂ）が開き、逃げ回る力が弱く成ると前記翼部体（Ｔ６ａ、Ｔ６ｂ）外周に設けている弾性リング（Ｔ６Ｄ）の弾性復帰力で抵抗体部Ｔ６が閉じる構造である。
【００５０】
図１８（Ａ）は枝ハリス仕掛け８Ｗ−２２が、道糸（１０）を係止して水中に浮かんでいる状態の図で、
水の抵抗体部Ｔ６の水の抵抗をうける翼部（Ｔ６ａ、Ｔ６ｂ）が閉じて、上部の上記枝ハリス着脱自在具（８ａ−１９Ｃ）と下部の枝ハリス着脱自在具から係止具に至る枝ハリスを取り付けている概略全体図。
（Ｂ）は魚が掛かり逃げ回ると抵抗体本体（Ｔ６ｃ）と水の抵抗体部Ｔ６の翼部体（Ｔ６ａ、Ｔ６ｂ）との間から大量の水が入り水の抵抗体部Ｔ６の翼部体（Ｔ６ａ、Ｔ６ｂ）が開いた状態の図。
この図の抵抗体本体（Ｔ６ｃ）の下部の連結穴から係止具に至る枝ハリス部の下端の係止具（８ｃ）の連結結束形体は、段落００４７に記載しているので説明は省略する。
図１８（Ａ）の抵抗体本体（Ｔ６ｃ）の下部の連結穴から係止具に至る枝ハリス部の下端の係止具（８ｃ）の連結結束形体には、錘（８ｅ）、絡み止めパイプは設けていないが、設けていない枝ハリス部も本願発明の範囲であるので念の為記載している。（詳細には段落００２９で記載している。）
【００５１】
枝ハリス着脱自在具８ａ−１は円柱状の棒体本体（１ａ）上部に道糸への枝ハリス着脱自在部を設け、下部に枝ハリス部｛枝ハリス着脱具以降針迄をハリスで接続（連結）した仕掛け｝を接続する接続穴（２ｆ）を設けた枝ハリス着脱自在具であり、
上記円柱状の棒体上部に道糸装着案内部（Ｗ）と奥に道糸直径より数％（多くて９．９％）狭い間隙部（Ｓ）と道糸通糸穴（Ｈ）を設けており、
上記円柱状の棒体下部に枝ハリス部（枝ハリス着脱具以降針迄をハリスで接続した仕掛け）を接続する接続穴（２ｆ）を設けた構造の枝ハリス着脱自在具であり、
道糸への装着は道糸装着案内部（Ｗ）から道糸を装入し、道糸の弾性で道糸直径を数％（多くて９．９％）押えた楕円状にして、間隙部（Ｓ）を貫通させて道糸通糸穴（Ｈ）に装入して装着完了となる。
道糸から外す時は逆の操作をして外す。
図２０（Ａ）は円柱状の棒体の枝ハリス着脱自在具８ａ−１の側面図であり、
（Ｂ）は（Ａ）の正面図である。
【００５２】
枝ハリス着脱自在具８ａ−１Ａは円柱状の棒体本体（１ａ）上部に道糸への枝ハリス着脱自在部を設け、下部に枝ハリス部｛枝ハリス着脱具以降針迄をハリスで接続（連結）した仕掛け｝を接続する接続穴（２ｆ）を設けた枝ハリス着脱自在具であり、枝ハリス着脱自在具８ａ−１の上記間隙部（Ｓ）に道糸を貫通させ難くする嵌入片体構造部（Ｒ）を設けた物で、
上記嵌入片体構造部は、嵌入片体中間部左右に大径となる凸部（Ｄｔ）を有する略Ｕ字形の嵌入片体（Ｒ）で、上記間隙部（Ｓ）の道糸の挿入方向に直交させて設けており、かつ、上記嵌入片体（Ｒ）の大径となる凸部の一方を上記間隙部（Ｓ）の道糸の挿入路を塞ぐ方向に設け上記略Ｕ字形の嵌入片体（Ｒ）に相対する嵌入穴を設けて嵌入した物で、
上記の嵌入片体（Ｒ）の大径となる凸部（Ｄｔ）の他方を受ける嵌合部の凹部（Ｄｔ）を上記嵌入片体（Ｒ）の保持部として設けており、
上記嵌入片体（Ｒ）の略Ｕ字形部を左右からつまみ、前記嵌入穴に嵌入する構造である。
上記嵌入片体構造部（Ｒ）を設けた、枝ハリス着脱自在具８ａ−１Ａは道糸直径を数％（多くて９．９％）押えた楕円状にして、間隙部（Ｓ）を貫通し難くしている枝ハリス着脱自在具８ａ−１より更に貫通し難くしているので一度掛った魚が枝ハリス着脱自在具８ａ−１Ａから外れる事は「０」に近い。
図１９（Ｅ）は円柱状の棒体の枝ハリス着脱自在具８ａ−１Ａの側面図であり、
（Ｆ）は（Ｅ）の正面図であり、（Ｇ）は（Ｅ）のＰ−Ｐ断面図であり、（Ｈ）は（Ｇ）のＤ−Ｄ断面図である。
（Ｃ）は枝ハリス着脱自在具８ａ−１Ａと水の抵抗体Ｔ２とを結合した水の抵抗体を有し更に上記水の抵抗体本体下部の接続穴に接続具を接続し、より戻し（Ｙ）と、錘（８ｅ）と、絡み止めパイプ（８f）と、釣り針（８ｃ）とをハリス（８ｂ−１）で連結した枝ハリス仕掛け８Ｗ−１Ａ。
（Ｄ）は枝ハリス着脱自在具８ａ−１と水の抵抗体Ｔ３とを結合した水の抵抗体を有し更に上記水の抵抗体本体下部の接続穴に接続具を接続し、より戻し（Ｙ）と、錘（８ｅ）と、絡み止めパイプ（８f）と、釣り針（８ｃ）とをハリス（８ｂ−１）で連結した枝ハリス仕掛け８Ｗ−１。
【００５３】
枝ハリス着脱自在具８ａ−２は球体の略中央に道糸通糸穴（Ｈ）を設け、球体外面から前記道糸通糸穴側方に向かって道糸案内部（Ｗ）と案内部奥に間隙（Ｓ）を設けて、上記道糸通糸穴に接続しており、
上記道糸通糸穴（Ｈ）と道糸通糸穴直近の間隙（Ｓ）との間に生成された舌片部（２Ｄ）として設けており、
上記道糸通糸穴（Ｈ）と舌片部（２Ｄ）の交叉部側方に道糸抜き傾斜凹部（２ｎ）を球体の道糸通糸穴（Ｈ）の両入り口側に設けた枝ハリス着脱自在具。｛図１８（Ａ）、（Ｃ）参照｝
【００５４】
上記枝ハリス着脱自在具８ａ−２への道糸挿入は、道糸案内部（Ｗ）から間隙（Ｓ）を通り、舌片部（２Ｄ）から道糸通糸穴に挿入する。舌片部（２Ｄ）の道糸通糸穴直近の舌片部が当接する間隙（Ｓ）は道糸直径の６０〜７０％にするのが好ましい）
上記舌片部（２Ｄ）を設けた事で挿入された道糸は抜けなくなった。
上記道糸通糸穴（Ｈ）から道糸を抜く時は、上記道糸通糸穴（Ｈ）と舌片部（２Ｄ）の交叉部側方に設けた道糸抜き傾斜凹部（２ｎ）に道糸を入れ、｛図３１（Ａ）の矢印方向に引く｝球体外面直近の舌片部（２Ｄ）をかわして間隙（Ｓ）に道糸の一部をいれ道糸案内部（Ｗ）方向に引き、舌片部（２Ｄ）全体をかわして道糸を引き出す。
図１９（Ａ）は球体の正面図で一例として、１０ｍｍの球体に道糸１０号（直径０．５２ｍｍ）に対応する、寸法を入れた図で、道糸通糸穴（Ｈ）の直径は道糸直径の１．５〜４倍で好ましくは道糸直径の２〜３倍が良い。
（Ｂ）は（Ａ）の側面図。
（Ｃ）は（Ａ）の道糸通糸穴（Ｈ）の一方の端部のＮ−Ｎ断面図。
（Ｄ）は枝ハリス着脱自在具（８ａ−２）に水の抵抗体を結合し、枝ハリス部を連結した枝ハリス仕掛け８Ｗ−２、枝ハリス部は、より戻し（Ｙ必須条件）錘（８ｅ必須条件であるが、錘の無い枝ハリス部を製造販売された場合、購入後錘を付ける事は容易であるので、錘の無い枝ハリス部も本願権利範囲である、）からみ止めパイプ（８ｆ）遊動針（８ｃ−２ａ）先端の針（８ｃ必須条件）遊動針遊動端上側ストッパー（２ｒ）遊動針遊動端下側ストッパー（２ｐ）遊動針の遊動範囲のハリス（８ｂ−２ａ）で上記枝ハリス着脱自在具から先端の針までを、連結及び結束するハリス（８ｂ−１必須条件）を総称して本願全部の枝ハリス部と記載している。
【００５５】
枝ハリス着脱自在具８ａ−３は円柱状の棒体中間部の折り曲げにより、道糸挿入部の開閉をする枝ハリス着脱自在具で、折り曲げにより分割された一方（３ａ）には、道糸通糸穴（Ｈ）と、道糸着脱口開閉のロック部の凸（３ｅ−１）を持つ弾性片を受けるトンネル状の穴部（３ｆ）と道糸着脱案内部（Ｗ）と道糸着脱案内部奥に上記道糸通糸穴（Ｈ）に貫通する間隙（Ｓ）を設けており、
折り曲げにより分割された他方（３ｂ）には、道糸着脱口開閉のロック部の凸を持つ弾性片（３ｅ）と枝ハリス着脱自在具以降の枝ハリス部の接続穴（２ｆ）とダストカバー（３ｇ）を設けており、
棒体中間の下部に折り曲げの弾性部（３Ｄ）を設けて、折り曲げにより分割された一方（３ａ）と他方（３ｂ）を繋いでおり、
上記他方（３ｂ）の道糸着脱口開閉のロック部の凸を持つ弾性片（３ｅ）と、道糸着脱口開閉のロック部の凸を持つ弾性片を受けるトンネル状の穴部（３ｆ）との嵌合により、道糸着脱口はロックされ円柱状の棒体状に成る構造であり、
操作は（図Ａの）上記ロック部の凸を矢印１の方向に押し更に矢印２方向に折り曲げの弾性部（３Ｄ）を押して道糸着脱口を開き（図Ｃ）、開口部から道糸を道糸着脱案内部（Ｗ）から間隙（Ｓ）を経て道糸通糸穴（Ｈ）に押し込み、
上記道糸着脱口開閉のロック部の凸を持つ弾性片（３ｅ）の凸と前記弾性片（３ｅ）の凸を受けるトンネル状の穴部（３ｆ）に嵌合さす事で道糸着脱口はロック状態となり、
上記枝ハリス着脱自在具は道糸に係止される。
【００５６】
図２１（Ａ）は枝ハリス着脱自在具８ａ−３の全体概略図で構造重要部を断面図で記載した図で３ｅの凸がトンネル状の穴部３ｆに掛り道糸着脱口部はロックされている。
（Ｂ）は（Ａ）の上面図で上下部に設けているダストカバー（３ｇ）は無くても良く、機能には関係していない。
（Ｃ）は道糸着脱口部を開口して道糸を挿入する時の状態図である。
（Ｄ）は道糸着脱口開閉のロック部の凸を持つ弾性片（３ｅ）の凸と、前記凸を受けるトンネル状の穴部（３ｆ）とを嵌合さす途中の図である。
（Ｅ）は（Ａ）のＴ−Ｔ断面図で道糸着脱口開閉のロック部の凸（３ｅ−１）が嵌合している図である。
（Ｆ）は水の抵抗体Ｔ２と枝ハリス着脱自在具（８ａ−３）を結合し更に釣り針迄の枝ハリス部を接続した枝ハリス仕掛け８Ｗ−３を道糸に係止している概略全体図である。
【００５７】
枝ハリス着脱自在具８ａ−３Ａはラグビーボール形状の本体に左右方向に、
動く道糸着脱口開閉のロック部の凸を持つ弾性片で構成した枝ハリス着脱自在具であり、
上記枝ハリス着脱自在具はラグビーボール形状の本体（３）に道糸着脱口開閉のロック部の凹部（３ｅ−３）を持ち左右方向の動きで道糸着脱口開閉をロック  アンロックする弾性片（３ｅ−２）と前記道糸着脱口開閉をロック  アンロックする弾性片の凹部（３ｅ−３）を受ける門型の一方の下部をロック部の弾性片挿入操作部にしている受け部（３ｆ−１）と道糸着脱案内部（Ｗ）と道糸着脱案内部奥に道糸通糸穴（Ｈ）に貫通する間隙（Ｓ）と道糸通糸穴（Ｈ）を設け更に枝ハリス部を接続する接続部（２ｆ）を設けた構造であり、
操作は、Ｂ図の状態から前記道糸着脱口開閉の弾性片（３ｅ−２）を図面で見て下方向に動かし道糸着脱口を開き道糸着脱案内部（Ｗ）から道糸着脱案内部奥の道糸通糸穴（Ｈ）に貫通する間隙（Ｓ）を経て道糸通糸穴（Ｈ）に挿入し、
上記道糸着脱口開閉の弾性片（３ｅ−２）を図面で見て上方向に動かし、前記道糸着脱口開閉をロック  アンロックする弾性片の凹部（３ｅ−３）を受ける門型の一方の下の受け部（３ｆ−１）に入れ、弾性片（３ｅ−２）は弾性復帰力で門型受け部内上部に嵌まりロック状態となる。
【００５８】
図２２（Ａ）はラグビーボール形状の枝ハリス着脱自在具８ａ−３Ａの概略全体の成形側面図で道糸着脱口開閉の弾性片（３ｅ−２）に弾性復帰力を付けるのと成形し易くする目的で弾性片（３ｅ−２）を図面で見て上に位置させている。
（Ｂ）は道糸着脱口開閉をロック  アンロックする弾性片の凹部（３ｅ−３）を受ける門型の一方の下の受け部（３ｆ−１）に入れ、弾性片（３ｅ−２）は弾性復帰力で門型受け部内上部に嵌まりロック状態となっている図。
（Ｃ）は前記弾性片（３ｅ−２）を図面で見て下に位置させた状態から弾性片を弾性片受け部（３ｆ−１）に入れる前段階の図。
（Ｄ）は（Ｂ）のＳ−Ｓ断面図で前記弾性片受け部（３ｆ−１）に嵌入している嵌入状態を現した図。
（Ｅ）は枝ハリス着脱自在具８ａ−３Ａに水の抵抗体Ｔ３を結合し更に釣り針迄の枝ハリス部を接続した枝ハリス仕掛け８Ｗ−３Ａを道糸に係止している概略全体図である。
【００５９】
この段落以降の枝ハリス仕掛け８Ｗは枝ハリス着脱自在具（８ａ）と水の抵抗体部Ｔ２,
Ｔ３, Ｔ４,Ｔ６の何れかを連結し、枝ハリス着脱自在具から係止具に至る枝ハリス部にて主構成とした物であるので、
水の抵抗体部Ｔ２から水の抵抗体部Ｔ６の構造を再記載しておき、詳細説明は省いておる。
＊水の抵抗体部Ｔ２は、（図８）水の抵抗体本体（１８ｃ）と外側面に複数に分割した翼部体（１８ａ、１８ｂ）と、上記水の抵抗体部Ｔ２に翼部体（（１８ａ、１８ｂ）を嵌入する嵌入部（１８ｃｅ、１８ｃｓ）を設け嵌入し、かつ、上記外郭体（１８ａ、１８ｂ）を開閉自在に保持する保持構造部（１Ｘ）を上記本体（１８ｃ）の上部に設けた物であり、
上記翼部体（（１８ａ、１８ｂ）を開閉自在に保持する保持構造部（１Ｘ）は上記水の抵抗をうける翼部を外側（１８ａ）と内側（１８ｂ）に円形で配置し、上記水の抵抗をうける翼部（１８ａ、１８ｂ）の上部は上記翼部体保持構造部（１Ｘ）の切り割溝（１Ｄｍ）が入った円形嵌入溝に交互（１８ａ、１８ｂ、１８ａ、１８ｂの様に）に並べて嵌入出来る形状にして嵌入しており、翼部体（１８ａ、１８ｂ）が切り割溝（１８Ｄｍ）の入った円形嵌入溝の、溝の外縁部（１８ｃｅ）を水の抵抗力で押し広げ、上記溝の外縁部下に設けられている上記外縁部の曲り止め（１８ｃｐ）と１８ａ、１８ｂの開放角端ストッパー（１８ａｓ、１８ｂｓ及び１８ｃｓ）で、開口角度（開放角度）を保持している、
上記本体（１８ｃ）下部と、閉じている翼部体（１８ａ、１８ｂ）との間から流入する水の抵抗力を、上記翼部体（１８ａ、１８ｂ）が受けて翼部体を外側に開らき、水の抵抗力が弱くなると上記翼部体嵌入部の下に設けた弾性体のリング（１８Ｄｒ）及び翼部体を嵌入する嵌入部（１８ｃｅ）の弾性復帰力により、開らいている上記翼部体を閉じる構造で、上記翼部体を  開閉自在に保持する保持構造部（１Ｘ）を上記本体（１８ｃ）の上部に設けた物である。
＊水の抵抗体部Ｔ３は、（図９）水の抵抗体本体（１９ｃ）と外側面に複数に分割した水の抵抗をうける翼部体（１９ａ）と上記翼部体（１９ａ）を開閉自在に保持する翼部体保持構造部（２Ｘａ）で構成されており、上記翼部体（１９ａ）は開くと水の抵抗をうける翼部と、上端部に設けた球体（１９ａａ）と上記翼部体と球体（１９ａａ）を繋ぐ軸部（１９ａｂ）とから成り、上記翼部体保持構造部（２Ｘａ）は、水の抵抗体本体（１９ｃ）に上記水の抵抗をうける翼部の上端部に設けた球体（１９ａａ）を嵌入する嵌入部を設け嵌入し、かつ、嵌入した上記翼部体（１９ａ）を開閉自在に保持する保持キャツブ（１９ｂ）を設けて構設固着しており、さらに上記翼部体（１９ａ）を開閉自在にする弾性リング（１９Ｄａ）とリング嵌入溝を設けており、
魚が掛かり逃げ回ると抵抗体本体（１９ｃ）と上記翼部体（１９ａ）との間から大量の水が入り翼部体（１９ａ）を開き｛９図（Ｂ）｝逃げ回る力が弱く成ると前記弾性リングの弾性復帰力で翼部体は閉じる構造である。
＊水の抵抗体部Ｔ4は（図１４）上下の蓋部（２ａ−１、２ａ−２）と前記上下蓋部間の筒体外郭部（２ｂ）と前記筒体外郭部の中に内蔵されている形状記憶弾性体袋（２Ｔ）（形状記憶弾性体袋は外部から力が加わらない状態での形状を元の形状として、何れかの方向から力が加わると、その力に呼応する形に変形し、前記何れかの方向から力が掛らなくなると元の形状になる袋体}とで構成されており、
上記筒体外郭部（２ｂ）は複数の上下方向の切割溝で分割され、上下の蓋部（２ａ−１、２ａ−２）に繋がっており、かつ、上下の蓋部の接続部に左右方向の谷折れ線を、更に溝で分割された筒体外郭部（２ｂ）に少なくとも1か所、左右方向の山折れ線を設けており、
上記筒体外郭部の中に内蔵されている形状記憶弾性体袋（２Ｔ）には、概中心部上下方向に貫通した道糸を通す弾性体の管体（２ｓ）を設けているものである。
＊水の抵抗体部Ｔ６は、（図１８）水の抵抗体本体（Ｔ６ｃ）と、上記水の抵抗体本体（Ｔ６ｃ）の外側翼部体を複数に分割した翼部体（Ｔ６ａ、Ｔ６ｂ）とで構成しており、
上記水の抵抗体本体（Ｔ６ｃ）と、複数に分割した翼部体（Ｔ６ａ、Ｔ６ｂ）の連結部に弾性部を設けヒンジ部（Ｔ６ｈｎ）として開閉自在に結合（連結）しており、
上記水の抵抗体本体（Ｔ６ｃ）に複数に分割した翼部体（Ｔ６ａ、Ｔ６ｂ）の傾動角設定のストッパー（Ｔ６Ｓｔ）設けており、更に弾性リング（Ｔ６Ｄ）と弾性リング保持部（Ｔ６Ｄｕ）と外側の翼部体（Ｔ６ａ）に内側の翼部体（Ｔ６ｂ）を保持する凸片（Ｔ６ａｔ）を設けておる。
【００６０】
（７）の枝ハリス止め体の中の１例であるが（図２４Ａ〜Ｅ又はＩ〜Ｊ）は浮き止め（６）、も同じ物を使っているので結束要領等は同じであるので説明は省略する）、道糸の途中で取りつけられ弾性性状のある物（図２４  Ａ〜Ｅ）で輪ゴムの様なリング状で、何回でも道糸に潜らせることで、道糸の直径の２〜３倍にエダス止めの直径を自在に設定出来る物が好ましい。
図２４の（Ｆ〜Ｈ）は浮き止め（６）、として市販されている物で輪を持つ線体（６ｂ）にラグビーボール状の弾性体（６ａ）がセットしてある物で、図２４の（Ｆ）は道糸の端部を前記線体の輪（６ｂ）に通し、線体を引き、前記弾性体を道糸に移し替え（Ｇ）、セットしたい位置に移動させ（Ｈ）の状態にする浮き止めであるが、道糸の端部からセットする事がこの仕掛けに使用するのには問題である。
図２４の（Ｉ〜Ｊ）は撚ってある糸体を（Ｉの様に）結べば（Ｊ）の様に成り、このタイプの物は糸体の太さを変えるか（Ｊ）の状態の上に、更に（Ｉ）の様に結び重ねれば道糸の直径の２〜３倍に直径を自在に出来、道糸の途中で取りつけられるが操作性の問題で弾性性状のある輪ゴムの様なリング状の物の方が好ましい。
【００６１】
枝ハリス仕掛け８Ｗ−１〜８Ｗ−２２の水のＴ２，Ｔ３，Ｔ４，Ｔ６と枝ハリス着脱具と枝ハリス部の端部係止具（８ｃ）迄の概略連結形体であって、水の抵抗体Ｔ２，Ｔ３，Ｔ４，Ｔ６を枝ハリス着脱具（８ａ−１〜８ａ−２１）に、前記水の抵抗体の上もしくは下に連結して、連結具とより戻し（Ｙ）、錘（８ｅ）、絡み止めパイプ（８ｆ）、係止具（８ｃ）をハリス（８Ｂ−１、８Ｂ−１と８Ｂ−１Ｇ・８Ｂ−１Ｈのいずれか）で連結（結束）するのが主構成であるが、錘（８ｅ）、絡み止めパイプ（８ｆ）等は無くても、又遊動針のストッパーを付ける事も拘らないが、本願に記載の構成が好ましい｛図２３（Ａ）｝。
図２３（Ｂ）は係止具（８ｃ）を枝ハリスの先端部に２個設け、２個の内１個（８ｃ−２）を遊動する様にして設け、前記設けた係止具（８ｃ）の針先の方向を向い合わせにして（８ｃ−１・８ｃ−２で、いずれもダブルフックもしくはトリプルフック）設け、かつ、前記遊動として設けた係止具（８ｃ−２）の遊動範囲部分と先端係止具（８ｃ）連結形体を、弾性材料（エラストマー）でコーティングするか、又はハリスの直径か、引っ張り強度かの何れかを、上記ハリス部の少なくとも１．３倍にして設けかつ、前記２個設けた係止具（８ｃ）間に、遊動範囲部分の上端ストッパー（２ｒ）及び遊動範囲部分の下端ストッパー（２ｐ）を設けたことを特徴とする枝ハリスの先端部の係止具（８ｃ）であって
図２３の（Ｅ）・（Ｊ）・（Ｋ）は２個の係止具（８ｃ）をハリス（８ｂ−１）に直列に結束した、結束形体で（Ｆ）・（Ｇ）は１個の係止具（８ｃ）をハリス（８ｂ−１）に結束した、結束形体で（Ｄ）・（Ｈ）は２個の係止具（８ｃ）をハリス（８ｂ−１）に並列（二股吊り・又は提灯吊り）に結束した、結束形体でいずれの方法も幅広く使用されている係止具（８ｃ・シングルフック・ダブルフック・トリプルフックのいずれでも）の結束形体であるが、浮き釣りには多少の長所・短所はあっても釣果には大差はないと聞き及んでいる。
しかしこの釣り（投げ込み釣り）では生餌（８ｄ）は生きの良い時は道糸を「くの字」に曲げながら抵抗のある方向に泳いでいる時が約半分程度あり、この時はハリス｛（８ｂ−１）・この投げ込み釣りではフロロカーボンの１０号を使用している｝もピーンと張った状態で図２３の（Ｅ）（Ｆ）・（Ｇ）・（Ｊ）・（Ｋ）の結束形体では頭から餌を食いついた時は掛る確率は高いが、（Ｄ）・（Ｈ）の結束形体では頭からでもしっぽからでも食いつく寸前に前記ピーンと張った状態のフロロカーボン１２号ハリスに当たり、食いつかないケース（竿先をガーンと曲げる当たりが１回だけあるケース）があり、その経験から（Ｌ）の結束形体を発明するに至った。
更に上記結束方法に加えて枝ハリス部の下端の係止具（８ｃ）の連結結束形体を、
下端の係止具（８ｃ）を魚釣り上げ目的の針（シングルフック・ダブルフック・トリプル以上のフックの何れか）を結束して、上に向かってカン付の餌掛け目的の針（シングルフック・ダブルフック・トリプル以上のフックの何れか）を遊動にして設け、生き餌の全長の２／３〜３／４位上の位置に前記遊動針で生餌の魚の引っ張る力を止めるストッパー｛（２ｐ）１例として４ｍｍ位のビーズ玉）｝を固着して、その上に前記遊動針をハリスに通して、更に前記遊動針が設定遊動範囲以上に、上にいかない様にストッパー（（２ｒ）１例として４ｍｍ位のビーズ玉）を固着している、この遊動範囲を設けることで、釣り上げ目的の針を生餌の魚に掛けやすくしている、上記釣り上げ目的の針と餌掛け目的の針の生餌の魚に掛ける掛け方として、口・鼻  若しくは首の背中に相当する位置に餌掛け目的の針を掛けて１〜３ｍｍハリスを弛ませた状態で、魚を釣り上げ目的の針を掛けるのが、泳がせ釣りで一番釣果が有ったので、上記枝ハリス部の下端の係止具（８ｃ）の連結結束形体を推奨する、｛図２３（Ｌ）参照｝。
【００６２】
第九の発明は前段落に記載のハリス部の先端の係止具（８ｃ）の形状であって、上記先端の係止具に、餌となる魚の腹鰭部を係止する係止部（８ｃ−Ｍ）を設けた、針であって（図５，Ｂ）
魚掛目的の釣り針を試釣では背びれの尻尾側につけていて、それなりの釣果を得る事は出来ていたが、背びれから外れ(餌の背びれでは魚掛目的の釣り針が餌の魚肉部を千切って魚掛目的を果たせなく成ったことが１０〜２０％発生し）いたので左右の腹鰭の間に固い所があり、ここに孫針を使用して魚掛目的の釣り針を図５，Ｂのように係止出来れば針外れはおこらない事に気付いて前記針に孫針を固着した（８ｃ−Ｍ）針を提案している。
【００６３】
枝ハリス着脱自在具から枝ハリスの先端部の係止具（８ｃ）間を連結するハリスであるが、ハリスとして使用されている物には、
１． ナイロン・特性として伸び率２０％〜４５％あり、フック（釣り針）やサルカンとの結束部の結束方法によっては大型魚が掛かり引き込む力で伸びて結束部が抜けるので使い慣れない人には推奨出来ない物。
２． フロロカーボン・最近の釣りでのハリスとしては一番普及しているもので、結束部強度ではＰＥ（ポリエチレン  ダイニーマ）に次ぐ強度を持ち更に水中での屈折率１．４２と、水の屈折率１．３３と近く水中では見えにくい素材である。
（この仕掛けではフロロカーボンの１２号を使用している。）
３． ＰＥ（ポリエチレン  ダイニーマ）・現在市販されているラインとしては最強度の物であり、伸び率１．０４で、釣りでのメリットは、感度（当たり等微妙な変化を伝え易い特性を持っている）の良さである、反面弱点としては、耐熱性で、耐熱温度が１４５℃と低く、低い摩擦熱で切れてしまうこと及びラインがしなやかで、絡みやすく、又一度絡むと解き難いので、ハリス（８ｂ−１）全部をＰＥとするのは推奨し難い。
(参考  釣糸１０号は  直径  ０，５２ｍｍ,１２号は直径０，５６ｍｍ)   
【００６４】
図２５を説明すると、特許文献２の特願２０１２−０９０８０６「泳がせ釣り具、及びその方法」での仕掛けを投入し、後付けで「枝ハリス着脱自在具を有する枝ハリス」を取り付け、置き竿状態で「あたり」を待っている概略図で、
特許文献は枝ハリス止め体（７）から投げ竿間に遊動自在に係止されている「枝ハリス着脱自在具を有する枝ハリス」である。
図２６を説明すると先端に底物釣り仕掛けをつけ投げ竿で投入し、後付けで上物釣り仕掛け具を付けて置き竿状態で「あたり」を待っている概略図で、
特許文献は底物釣りと上物釣りを1本の投げ竿で狙える釣法とその釣り具に関する物である
図２７の説明をすると図２４の「枝ハリス着脱自在具を有する枝ハリス」に代えて本願記載の「水の抵抗体を結合させた枝ハリス着脱自在具を有する枝ハリス仕掛け８Ｗ」を取り付け置き竿状態で「あたり」を待っている概略図である。
【符号の説明】
【００６５】
１，  錘。
２，  ストッパー。      ２ｒ、遊動釣り針のストッパー上側。      ２Ｐ、遊動釣り針のストッパー下側。
２ａ−１、  水の抵抗体Ｔ４の筒体外郭部の上部体。
２ａ−２、  水の抵抗体Ｔ４の筒体外郭部の下部体。
２ｂ、      水の抵抗体Ｔ４の外側に折れ曲がる中間部体。
２Ｄ、枝ハリス着脱自在具の道糸通糸穴直近の弾性片。２ｎ、道糸通糸穴直近の道糸抜きガイド部。Ｚ、玉体。
２ｆ、枝ハリス着脱自在具以降釣り針迄をハリスで結束した仕掛けの接続穴（接続部）。
２ｓ、    道糸を通す弾性体の管体。
２ｖ、  形状記憶弾性体袋。  ３、  しもり。  ４    浮き。  ５、しもり。  ５ａ、水の抵抗体Ｔ４の下部に付けるしもり。  ６、浮き止め。
６ａ、水の抵抗体Ｔ４より下部に付ける５ａ（しもり）止めの機能の物で、結束部でも
良い。
７、  枝ハリス止め体。  ８、枝ハリス体全体。８ａ、枝ハリス着脱自在具。
８１、接続具、＆スナップサルカン（よりフックに至る枝ハリス体全体を表している場合もある）。
８ａ、  枝ハリス着脱自在具。
８ａ−１、棒体上部に道糸への枝ハリス着脱部を設け、下部に枝ハリス部｛枝ハリス着
脱具以降針迄をハリスで接続した仕掛け）接続具を指す場合もある｝に接続穴を設けた枝ハリス着脱自在具。  １ａ、棒体本体。  １ｂ、棒体上部の道糸への枝ハリス着脱部。  
８ａ−１Ａ、８ａ−１の道糸挿入路に嵌入片体を設けた枝ハリス着脱自在具。Ｒ、道糸挿入路の嵌入片体。  Ｄｔ、嵌入片体部の凸。  Ｄｕ、Ｄｔを受ける凹部。
８ａ−２、道糸通糸穴直近の間隙を舌片部として設けた枝ハリス着脱自在具。
８ａ−３、棒体中間部の折り曲げにより着脱する、枝ハリス着脱自在具。３ａ、道糸通糸穴を設けた本体の一方。３ｂ、道糸着脱口開閉のロック部の凸を持つ弾性片を設けた本体の他方。３Ｄ、棒体中間部の折り曲げの弾性部。３ｅ、道糸着脱口開閉のロック部の凸を持つ弾性片。３ｆ、３ｅのロック部の凸を受けるトンネル状の穴部。３ｅ−１、３ｅのロック部の凸。３ｇ、ダストカバー。
８ａ−３Ａ、ラグビーボール形状の本体に左右方向に動く道糸着脱口開閉のロック部の凹を持つ弾性片で構成した枝ハリス着脱自在具。３、本体。  ３ｅ−２、道糸着脱口開閉のロック部の凹を持つ弾性片。  ３ｅ−３、道糸着脱口開閉の弾性片のロック部の凹。  ３ｆ−１、３ｅ−３を受ける門型の一方の下部をロック部の弾性片挿入操作部にしている受け部。
８ａ−１４  弾性性状を有する樹脂を主材とした略球状玉体の上部及び左右の概略1／３の両側を欠切し中央部に２本の凸片を設け凸片の一方に枝ハリスの挿入穴を設け凸片の他方に枝ハリスの巻締め部を設けて、巻締めする着脱自在部の枝ハリス着脱自在具。  １４ａ、略球状玉体の凸片の一方。  １４ｂ、略球状玉体の凸片の他方。    １４ｃ、略球状玉体の凸片の一方に設けた  枝ハリスの挿入穴  １４ｅ、略球状玉体の凸片の他方に設けた  枝ハリスの挿入巻締め穴。  ８ｂ−１ｄ、枝ハリスの一方端に設けた抜け止めのこぶ。  ８ｂ−１Ｇ、略球状玉体の凸片間を連結し１４ｂに巻き付け更に接続具（８１）間のハリス。
８ａ−１４−１、８ａ−１４の凸片の両方に、穴の中央を大径として両端部を小径となるテーパーして設けた嵌入具部を嵌入する、枝ハリスの着脱自在部の枝ハリス着脱自在具。  １４ａ、  略球状玉体の凸片の一方。  １４ｂ、  略球状玉体の凸片の他方。１４ｃｍ、  略球状玉体の凸片の一方に設けた８ｂ−１ｍの嵌入穴。  １４ｅｎ、略球状玉体の凸片の他方に設けた８ｂ−１ｎの嵌入穴。  ８ｂ−１ｎａ、  ハリス（８ｂ−１Ｈ）が道糸の通る穴（Ｈ）から抜けた時枝ハリスを道糸に係止する為の抜け止め。  ８ｂ−１ｎ、  ハリス（８ｂ−１Ｈ）に固着して設けた両端部を小径となるテーパーして設けた弾性体の嵌入具。  ８ｂ−１ｍ、  ハリス（８ｂ−１Ｈ）に固着して設けた両端部を小径としたテーパーにして１４ｂ方向の抜け止めを設けた弾性体の嵌入具。  ８ｂ−１ｍａ、ハリス（８ｂ−１Ｈ）を左側に（図面で見て）抜く為の引き具。
８ａ−１５、弾性性状を有する樹脂を主材として成形され、上下方向の断面が長方形の本体（１５ａ）と本体の外郭筒（長四角筒）で構成した枝ハリス着脱自在具。
１５ａ、上下方向の断面が長方形の本体。  １５ｂ、本体の外郭筒（長四角筒）。
１５ｂ１、開閉アームの凸部が嵌入する嵌入口。  １５ｂ２、ストッパー前進後退端スライド口。１５ｃ、開閉アーム。    １５ａ１、前進端，後退端ストッパーとなる切割片。  １５ｆ、本体後部に設けている、枝ハリスの着脱自在具以降のハリスを接続する、接続部。
８１、    ストッパー付スナップサルカン。
８ａ−１８、  水の抵抗体構造部Ｔ２の中心を、線体で中通しにした枝ハリス着脱自在具。
１８ａ、水の抵抗体Ｔ２の水の抵抗をうける翼部の外側。  １８ａｓ、外側水の抵抗をうける翼部の上端部の翼部体開放角端ストッパー。  １８ｂｓ、内側水の抵抗をうける翼部の上端部の翼部体開放角端ストッパー。  １８ｃｓ、水の抵抗体Ｔ２の本体の翼部体嵌合部の翼部体開放角端ストッパーを受けるストッパー受け部。  １８ｂ、水の抵抗体Ｔ２の翼部体の内側。  １８ｃ、水の抵抗体Ｔ２の本体。  １８ｃｅ、翼部体嵌入溝の外縁部    １８ｃｍ、枝ハリス着脱自在部の下部への抜け止め収納部の凹部。  １８Ｄ、水の抵抗体Ｔ２の翼部体に設けた弾性リング。  １８Ｄｍ、切り割溝の円形嵌入溝。  １Ｘａ、翼部体保持構造部。  １８Ｈｃ、線体で中通しにした枝ハリス着脱自在具本体。
１８Ｈａ、線体の枝ハリス着脱自在部の道糸通糸穴。  １８Ｈｂ、線体のハリス部（より戻しから係止具に至る部分）接続穴。  １８Ｈｅ、弾性の線体で上部への抜け止め。
１８Ｈｓ、枝ハリス着脱自在部の下部への抜け止め。
８ａ−１８Ａ、８ａ−１８の線体の枝ハリス着脱自在具を棒体にした枝ハリス着脱自在具。
８ａ−１９Ｂ、水の抵抗体部Ｔ３を結合した枝ハリス着脱自在具。  ８ａ−１９ＢＺ、水の抵抗体部Ｔ３の本体下部の支柱内に組み付けた枝ハリス着脱自在部。  １９Ｋ、Ｔ３の本体下部の支柱内に組み付ける、組み付け部品。  １９Ｋｂ、組み付け部品の嵌入受け部。  １９Ｄｂｂ、道糸着脱部を閉止状態に保持する閉止状態保持片。  １９ｐｂ、１９Ｋの道糸挿入案内部。  １９ｐｃ、１９Ｋの道糸着脱口開閉片。  １９Ｋｐ、嵌入動作片。  １９Ｄｍ、組み付け部品の二股状で中央部下の凹。  １９Ｄｋ、嵌入動作部。  １９Ｋｔ、組み付け部品１９Ｋの嵌入保持部の凸。
１９ｃｂ、水の抵抗体部Ｔ３の本体下部の支柱。１９−ＢＷ、道糸着脱口  １９ａ、球体をもつ水の抵抗をうける翼部。  １９ａａ、水の抵抗をうける翼部の上端部に設けた球体。１９ｂ、翼部体を開閉自在に保持する保持キャツブ。    １９ａｂ、水の抵抗をうける翼部の球体と翼部を連結する軸部。    １９ｃ、水の抵抗体本体。  １９Ｄａリング嵌入溝に嵌入した弾性リング。      ２Ｘａ、翼部体保持構造部。
８ａ−１９Ｃ、略長方形の板体の本体部に道糸着脱口開閉片作動部（１９Ｄｃ）を有する道糸着脱口開閉片（１９ｐ）と道糸通糸穴と、前記道糸着脱口開閉片（１９ｐ）から道糸通糸穴に繋がる道糸案内部（１９ｐａ）とを設けた枝ハリス着脱自在具。  １９ＣＺ、略長方形の板体の本体部。１９ｐ、道糸着脱口開閉片。  １９ｐａ、道糸着脱口開閉片（１９ｐ）から道糸通糸穴に繋がる道糸案内部。  １９ＣＺ、略長方形の板体の本体部。  １９ｐ、道糸着脱口開閉片。  １９Ｄｃ、道糸着脱口開閉片作動部。  １９ｃｃ、閉止状態保持片嵌入部。  １９Ｋｕ、１９ｃｂの１９Ｋｐ嵌入保持の凹部。  １９Ｄｍ、１９Ｄｂの嵌入部内側の凹部。  １９Ｋｔ、１９Ｄｂの嵌入部の凸部。
８ａ−２０、２０ａ、長方形の立方体の本体。２０ｂ、外筒のスライダー。２０ｃ、道糸着脱操作片。２０ｃｎ、道糸着脱操作片の収納部。２０ｓｎ、弾性変形端ストッパー。２０ｓｆ、外筒のスライド前進端ストッパー。２０ｓｆ、外筒のスライド前進端ストッパー。２０ｓｍ、前進後退位置保持ストッパー。２０ｓｂ、後退端ストッパー。
８ａ−２１、弾性性状を有する略玉体の本体部に道糸通糸穴と、道糸着脱片部と道
糸着脱案内部と道糸着脱案内部奥に上記道糸通糸穴に貫通する間隙を設けており、
更に道糸着脱片部を設けた道糸着脱口の閉止状態を保持構造を設けた枝ハリス着脱自在具。２１Ｚ、ＳＥ部弾性性状を有する略玉体の本体。ＳＥ部、道糸着脱片部。２１ａ、玉体の本体部。２１ｂ、道糸着脱片保持部を兼ねたガイド部。    ＳＥ−ｂ、道糸着脱口開閉片に設けた２１ｂに嵌まるとロック構造となるＳＥ片の凹部。２１ｆ、枝ハリス部接続穴。
８ｂ、  枝ハリス部のハリス。    ８ｂ−１、着脱自在具、−より戻し具−から係止具
の間を接続するハリス。  ８ｂ−２ａ、枝ハリス仕掛けの遊動針の遊動範囲間と先端係止具間を接続するハリス。
８ｂ−１ｄ  ８ａ−１４の着脱自在具部に使用するハリスの端部の抜け止め機能部。
８ｂ−１Ｇ、８ｂ−１ｄから接続具８１間に使用されるハリス。
８ｂ−１Ｈ、８ａ−１４−１に使用される、中央を大径として両端部を小径となる
テーパーの嵌入部を固着した枝ハリス。
８ｂ−１ｍ、８ｂ−１Ｈ、の抜け止め部を有する、中央を大径として両端部を小径と
したテーパーの嵌入具部。
８ｂ−１ｍａ、８ｂ−１ｍ、８ｂ−１ｎを抜く為の引き具。
８ｂ−１ｎ、  ８ｂ−１Ｈ、の中央を大径として両端部を小径としたテーパーの嵌入
具部。
８ｂ−１ｎａ、８ｂ−１Ｈ、の８ｂ−１ｎ、より接続具（８１）側に設けた８ｂ−１Ｈが道糸が通る穴（Ｈ）から抜けた時枝ハリスを道糸に係止する為の抜け止め。
８ｃ、  係止具（釣り針で、シングルフック、ダブルフック、トリプル以上のフック）。
８ｃ−１ａ、枝ハリス仕掛けの魚掛け目的の釣り針。    ８ｃ−２ａ、枝ハリス仕掛けの餌掛け目的の遊動針。  ８ｃ−Ｍ、餌の腹鰭間を孫針部で係止する形状の孫針部を魚掛け目的の釣り針に追加固定した針。
８ｄ、  生き餌。    ８ｅ、枝ハリス着脱自在具に接続してつけている錘。    ８ｆ、目印を兼ねた絡み止めパイプ。８ｐ、枝ハリス仕掛けの遊動針の遊動範囲を決める下部ストッパー。    １０、道糸。  １１、投げ竿。
８Ｗ    枝ハリス着脱自在具と水の抵抗体（Ｔ２,Ｔ３,Ｔ４，Ｔ６）の何れかと結合させ  枝ハリス着脱自在具より釣り針に至る枝ハリスで構成した枝ハリス仕掛け。
８Ｗ−１、棒体上部を道糸着脱部として、下部に枝ハリス接続部を設けた、枝ハリス枝ハリス着脱自在具と水の抵抗体（Ｔ２,Ｔ３,Ｔ４，Ｔ６）の何れかと結合させた枝ハリス仕掛け（図２０Ｄの場合の枝ハリス仕掛けは、水の抵抗体Ｔ３と８ａ−１と結合し、接続具と、より戻しと、錘と、からみ止めパイプと先端部の釣り針２本とをハリスで連結している枝ハリス仕掛けを現している）。
８Ｗ−１Ａ、８Ｗ−１の道糸挿入路に弾性部を設け道糸への係止度を上げた、枝ハリス着脱自在具と水の抵抗体（Ｔ２,Ｔ３,Ｔ４，Ｔ６）の何れかと結合させた枝ハリス仕掛け。
８Ｗ−２、道糸通糸穴直近の間隙部に舌片部（２Ｄ）を構成した、枝ハリス着脱自在具と水の抵抗体と結合させた枝ハリス仕掛け。
８Ｗ−３、棒体中間部の折り曲げにより着脱する、枝ハリス着脱自在具と水の抵抗体と結合させた枝ハリス仕掛け。
８Ｗ−３Ａ、フットボール形状の本体に左右方向に動く道糸着脱口開閉のロック部の凸を持つ弾性片で構成した枝ハリス着脱自在具と水の抵抗体と結合させた枝ハリス仕掛け。
８Ｗ−１４、枝ハリス着脱自在具の略球状体の上部に２本の凸片を設け、ハリス巻き締め部として、略球状体の下部に道糸挿入部と道糸挿入部奥に道糸を押し込む間隙と道糸通糸穴を設けた、枝ハリス着脱自在具に、水の抵抗体（Ｔ２,Ｔ３,Ｔ４，Ｔ６）の何れかと結合させた枝ハリス仕掛け。
８Ｗ−１４−１、８Ｗ−１４、の略球状体の上部に２本の凸片を設け、ハリス巻き締め部としているのを、２本の凸片にハリス嵌入具を嵌入する、ハリス嵌入具部を設けた枝ハリス着脱自在具に、水の抵抗体（Ｔ２,Ｔ３,Ｔ４，Ｔ６）の何れかと結合させた枝ハリス仕掛け。
８Ｗ−１５、上下方向の断面が長方形の本体（１５ａ）と本体の外郭筒（長四角筒）で構成し本体の外郭筒をロック機構とした枝ハリス着脱自在具に、水の（Ｔ２,Ｔ３,Ｔ４，Ｔ６）の何れかと結合させた枝ハリス仕掛け。
８Ｗ−１８、水の抵抗体構造部Ｔ２の中心を、線体で中通しにした枝ハリス着脱自在具と、水の抵抗体Ｔ２を結合させた枝ハリス仕掛け。
８Ｗ−１９Ａ、
枝ハリス着脱自在具８ａ−１９Ｃと水の抵抗体部Ｔ３とを結合した枝ハリス着脱自在具。水の抵抗体部Ｔ３、水の抵抗体本体に上端部に球体をもつ水の抵抗をうける翼部と翼部体の嵌入部と翼部体保持構造部とを持つ構造の水の抵抗体。  １９ａ、球体をもつ翼部体。１９ａａ、水の抵抗をうける翼部の上端部に設けた球体。  １９ｂ、翼部体部を開閉自在に保持する保持キャツブ。    １９ａｂ、水の抵抗をうける翼部の球体と翼部を連結する軸部。  １９ｃ、水の抵抗体本体。  １９Ｄａリング嵌入溝に嵌入した弾性リング。      ２Ｘａ、翼部体保持構造部。  １９ＡＺ、略長方形の板体の本体部。  １９ｐ、道糸着脱口開閉片。１９ｐａ、道糸着脱口開閉片（１９ｐ）から道糸通糸穴に繋がる道糸案内部。１９Ｄｂ、道糸着脱部を閉止状態に保持する弾性片。１９Ｄｃ、道糸着脱口開閉片作動部。１９ｃｃ、閉止状態保持片嵌入部。１９Ｋｕ、１９Ｄｂの嵌入保持の凹部。１９Ｄｍ、１９Ｄｂの嵌入部の凹部。１９Ｋｔ、１９Ｄｂの嵌入部の凸部。１９Ｋｐ、
８Ｗ−１９Ｂ、水の抵抗体Ｔ３−１の本体下部に、道糸着脱口開閉片（１９ｐ）と道糸通糸穴と道糸案内部とを設けた、枝ハリス着脱自在具を、水の抵抗体Ｔ３内に有する枝ハリス仕掛け。
８Ｗ−２０、略長方形の板体の本体部に弾性部を有する道糸着脱部と道糸通糸穴と道糸案内部とを設け、本体の外郭筒をロック機構とした枝ハリス着脱自在具に、水の抵抗体（Ｔ２,Ｔ３,Ｔ４，Ｔ６）の何れかと結合させた枝ハリス仕掛け。
８Ｗ−２１、略球状体に弾性片を設け道糸着脱部として、奥にむけて道糸案内部と間隙と道糸通糸穴を設けた枝ハリス着脱自在具に、水の抵抗体（Ｔ２,Ｔ３,Ｔ４，Ｔ６）の何れかと結合させた枝ハリス仕掛け。
８Ｗ−２２、略長方形の板体の本体部に弾性部を有する道糸着脱部と道糸通糸穴と道糸案内部とを設け、道糸着脱部を閉止状態に保持する弾性片と弾性片嵌入部を設け弾性片を嵌入して設けた枝ハリス着脱自在具に、水の抵抗体（Ｔ２,Ｔ３,Ｔ４，Ｔ６）の何れかと結合させた枝ハリス仕掛け。
Ｔ２、  水の抵抗体を有する枝ハリス着脱自在具８ａ−１８。  水の抵抗体構造部Ｔ２の中心を、線体で中通しにした枝ハリス着脱自在具を有する抵抗体。
１８ａ、水の抵抗体Ｔ２の外側の翼部体。  １８ａｓ、外側水の抵抗をうける翼部の上端部の翼部体開放角端ストッパー。  １８ｂｓ、内側の水の抵抗をうける翼部上端部の翼部体開放角端ストッパー。  １８ｃｓ、水の抵抗体Ｔ２本体の翼部体嵌合部の翼部体開放角端ストッパー、水の抵抗体Ｔ２の翼部体の内側。  １８ｃ、水の抵抗体Ｔ２の本体。  １８ｃｅ、翼部体嵌入溝の外縁部    １８ｃｍ、枝ハリス着脱自在部の下部への抜け止め収納部の凹部。  １８Ｄ、水の抵抗体Ｔ２の翼部体に設けた弾性リング。  １８Ｄｍ、切り割溝の円形嵌入溝。  １Ｘａ、翼部体保持構造部。  １８Ｈｃ、線体で中通しにした枝ハリス着脱自在具本体。
１８Ｈａ、線体の枝ハリス着脱自在部の道糸通糸穴。  １８Ｈｂ、線体のハリス部（より戻しから係止具に至る部分）接続穴。  １８Ｈｅ、弾性の線体で上部への抜け止め。
１８Ｈｓ、枝ハリス着脱自在部の下部への抜け止め。
Ｔ３水の抵抗体部。水の抵抗体本体に上端部に球体をもつ水の抵抗をうける翼部と翼部体の嵌入部と翼部体保持構造部とを持つ構造の水の抵抗体。  １９ａ、球体をもつ翼部体  １９ａａ、水の抵抗をうける翼部の上端部に設けた球体。  １９ｂ、翼部体を開閉自在に保持する保持キャツブ。    １９ａｂ、外郭体の球体と翼部を連結する軸部。    １９ｃ，１９ｃｂ、水の抵抗体本体。  １９Ｄａリング嵌入溝に嵌入した弾性リング。
２Ｘａ、翼部体保持構造部、水の抵抗体本体に上記水の抵抗をうける翼部の上端部に設けた球体を嵌入する嵌入部を設け嵌入し、かつ、嵌入した上記翼部体を開閉自在に保持する保持キャツブを設けて構設固着して、さらに上記翼部体を開閉自在にする弾性リング（１９Ｄ）とリング嵌入溝を設けた翼部体開閉自在保持構造。
Ｔ4、水の抵抗体。    筒体外郭部と前記筒体外郭部の中に内蔵されている形状記憶弾性体袋（２ｖ）を有するタイプ。  ２ａ−１、  水の抵抗体Ｔ４の筒体外郭部の上部体。２ａ−２、  水の抵抗体Ｔ４の筒体外郭部の下部体。  ２ｂ、水の抵抗体Ｔ４の外側に折れ曲がる中間部体。２ｓ、    道糸を通す弾性体の管体。    形状記憶弾性体袋を内蔵した、暴れる力を早く衰えさせる釣り具。２ｖ、  形状記憶弾性体袋。３、  しもり。  ４、  浮き。５、しもり。  ５ａ、水の抵抗体Ｔ４の下部に付けるしもり。６、  浮き止め、６ａ、水の抵抗体Ｔ４より下部に付ける５ａ（しもり）止めの機能の物で、結束部でも良い。
Ｔ６、  水の抵抗体部。水の抵抗体本体と、翼部を、複数に分割した翼部体とで構成して水の抵抗体部。
Ｔ６ａ翼部体水の抵抗をうける翼部内側。  Ｔ６ｃ、抵抗体本体。  Ｔ６ｈｎ、弾性ヒンジ部。Ｔ６Ｄ、弾性リング。Ｔ６Ｄｕ、弾性リング保持部。  Ｔ６ａｔ、外側の翼部体に内側の翼部体を保持する凸片。
Ｈ、  枝ハリス止め体で止まり得る穴、又は道糸の通糸部。
Ｓ、  道糸が貫通可能な間隙。    Ｗ、スリット（割れ目）。  Ｙより戻し部（を有する物Ｙで表現している物もあり）。
ＳＡ、枝ハリス部（枝ハリス着脱具以降針迄をハリスで接続した仕掛け）接続穴、接続
具を指す場合もある。
【要約】      （修正有）【課題】１本の竿を使用した場合、占有する釣り場所は最少で６ｍ程度にすることが出来る釣法で、「泳がせ釣り」、及び「底物魚と上物魚を１本の竿で狙える釣法及びその釣り具」で提供した枝ハリスと枝ハリスの着脱自在具を更に別の角度から見た枝ハリスの着脱自在具と、掛った魚を早く弱らせ取り込み易くする、枝ハリスの着脱自在具を提供する。【解決手段】仕掛けを投げ竿で投入した道糸に取り付ける枝ハリスの枝ハリス着脱自在具８a−１４で、前記着脱自在部には着脱自在構造と道糸通糸穴を設け前記道糸通糸穴から道糸が抜け出ても道糸は着脱自在具内に係止出来る構造にしており、枝ハリスを海表面間を遊動自在に道糸に係止する手段を設けた枝ハリスと着脱自在具。【選択図】図１【図４】
0005530011.tif 000002
【図７】
0005530011.tif 000003
【図８】
0005530011.tif 000004
【図１４】
0005530011.tif 000005
【図１５】
0005530011.tif 000006
【図１６】
0005530011.tif 000007
【図１７】
0005530011.tif 000008
【図１８】
0005530011.tif 000009
【図１９】
0005530011.tif 000010
【図２１】
0005530011.tif 000011
【図２３】
0005530011.tif 000012
【図２４】
0005530011.tif 000013
【図２７】
0005530011.tif 000014
【図１】
0005530011.tif 000015
【図２】
0005530011.tif 000016
【図３】
0005530011.tif 000017
【図５】
0005530011.tif 000018
【図６】
0005530011.tif 000019
【図９】
0005530011.tif 000020
【図１０】
0005530011.tif 000021
【図１１】
0005530011.tif 000022
【図１２】
0005530011.tif 000023
【図１３】
0005530011.tif 000024
【図２０】
0005530011.tif 000025
【図２２】
0005530011.tif 000026
【図２５】
0005530011.tif 000027
【図２６】
0005530011.tif 000028